(57)【要約】  本発明のある実施形態では、データの取得、データの処理、データの供給、及び／又は、データの相互運用性の機能を含む、ネットワーク運用及び情報処理のシステム、装置、及び方法を提供する。ある例示的な実施形態では、本発明の方法は、ユーザのコンピュータネットワークへのログオンを登録することと、ユーザからユーザ関連情報を収集することを含む。１つ以上の実施形態では、各ユーザのユーザプロファイル及びロケーション中心情報が収集され、及び／又は、ターゲッティング及びコンテンツ情報の処理に関連して処理されうる。【選択図】  図１Ｇ
2009512940.tif 000002
【特許請求の範囲】
【請求項１】
広告情報を配信する方法であって、
（ａ）ネットワーク、第１のエンティティにより管理されるアクセスポイント、及び、ユーザに関連付けられるコンピューティングデバイスを含み、前記ネットワークにはビジネスパートナーが関連付けられる、システムの複数のエレメント間で通信することと、
（ｂ）ＭＡＣアドレス、又は、ロケーション情報の一方又は両方を含む、前記ユーザに関するローデータ（ＲＡＷ  ＤＡＴＡ）を取得することと、
（ｃ）ユーザロケーション、時刻、頻度、前記ユーザの挙動に関連付けられる情報、又は、前記ユーザの現在の（地理的、ロケーション中心等の）物理的なコンテキストに関連付けられる情報に関する１つ以上の情報片を含むユーザコンテキストデータを、各ＭＡＣアドレスに対して蓄積することと、
（ｄ）前記ユーザコンテキストデータを、前記ビジネスパートナーのターゲットデータ、情報、及び／又はプロダクトの所望のオーディエンスに関連付けられる情報と比較することと、
（ｅ）（前記ユーザの、周辺における物理的存在／近接性に応じて）関連性の高いデータ／情報／プロダクトのコミュニケーションが、前記第１のエンティティにとって（価値的又は金銭的に）最も有益であるモデルに応じて前記ユーザに通信されるよう、前記ユーザコンテキストデータの解析により、前記ビジネスパートナーからのターゲットデータ／情報／プロダクトの最も効果的な分配を決定することと、
を含む方法。
【請求項２】
広告宣伝を行う方法であって、
（ａ）ネットワーク、第１のエンティティにより管理されるアクセスポイント、及び、ユーザに関連付けられるコンピューティングデバイスを含み、前記ネットワークにはビジネスパートナーが関連付けられる、システムの複数のエレメント間で通信することと、
（ｂ）ＭＡＣアドレス、又は、ロケーション情報の一方又は両方を含む、前記ユーザに関するローデータ（ＲＡＷ  ＤＡＴＡ）を取得することと、
（ｃ）ユーザロケーション、時刻、頻度、前記ユーザの挙動に関連付けられる情報、又は、前記ユーザの（地理的、ロケーション中心等の）コンテキストに関連付けられる情報に関する１つ以上の情報片を含むユーザコンテキストデータを、各ＭＡＣアドレスに対して蓄積することと、
（ｄ）前記ユーザコンテキストデータを、前記ビジネスパートナーのターゲットデータ、情報、及び／又はプロダクトの所望のオーディエンスに関連付けられる情報と比較することと、
（ｅ）前記ユーザの、周辺における物理的存在／近接性に応じて関連性の高いデータ／情報／プロダクトのコミュニケーションが、前記第１のエンティティにとって（価値的又は金銭的に）最も有益であるモデルに応じて前記ユーザに通信されるよう、前記ローデータ及び／又はユーザコンテキストデータの解析により、前記ビジネスパートナーからのターゲットデータ／情報／プロダクトの最も効果的な分配を決定することと、
（ｆ）前記解析の結果に基づいて、前記ビジネスパートナーにより供給される前記ターゲットデータ／情報を関連付け且つユーザアクティビティに対する応答とともに前記ユーザに配信することと、
を含む方法。
【請求項３】
データを取込み、関連情報をユーザに分配する方法であって、
（ａ）ビジネスパートナーを含むシステムをインプリメントすることと、
（ｂ）ＭＡＣ及びロケーション情報を含むローデータ（ＲＡＷ  ＤＡＴＡ）を取得することと、
（ｃ）ロケーション、時刻、及び頻度から形成されるプロファイルを、各ＭＡＣアドレスに基づいて作成することと、
（ｄ）前記１つ以上のＭＡＣアドレスのそれぞれに関連付けられるプロファイルＩＤを作成することと、
（ｅ）プロファイルグループを作成することと、
（ｆ）前記ＭＡＣアドレスをプロファイルグループに関連付けることと、
（ｇ）前記プロファイルグループを、前記ビジネスパートナーのデータ／情報／プロダクトの前記所望のオーディエンスと比較することと、
を含み、
前記解析の結果に基づいて、前記ビジネスパートナーにより供給される前記ターゲット／（広告）情報を関連付け且つ前記ネットワーク／システムを介して前記応答とともに前記ユーザに配信する、方法。
【請求項４】
ビジネスを行う方法であって、
（ａ）ネットワーク、第１のエンティティにより管理されるアクセスポイント、及び、ユーザに関連付けられるコンピューティングデバイスを含み、前記ネットワークにはビジネスパートナーが相互接続される、システムをインプリメントすることと、
（ｂ）ＭＡＣ及びロケーション情報を含む、前記ユーザに関するローデータ（ＲＡＷ  ＤＡＴＡ）を取得することと、
（ｃ）ロケーション、時刻、及び／又は頻度に応じて形成される１つ以上のプロファイル又はプロファイルグループを、各ＭＡＣアドレスに基づいて作成することと、
（ｄ）前記プロファイルグループを、前記ビジネスパートナーのターゲットデータ／情報（及び／又はプロダクト）の前記所望のオーディエンスと比較することと、
（ｅ）前記ユーザの、周辺における物理的存在／近接性に関して関連性の高いデータ／情報のコミュニケーションが、前記第１のエンティティにとって（価値的及び金銭的に）最も有益であるモデルに応じて前記ユーザに通信されるよう、前記ローデータの解析により、前記ビジネスパートナーからのターゲットデータ／情報の最も効果的な分配を決定することと、
を含み、
前記解析の結果に基づいて、前記ビジネスパートナーにより供給される前記ターゲットデータ／情報を関連付け且つユーザアクティビティに対する応答とともに前記ユーザに配信する、方法。
【請求項５】
処理される前記ローデータ（即ち、ロケーション情報等）は、ユーザと、例えば、趣味を共有する又は同様の事柄を探す他の人々とが即時にネットワーク構築するようソーシャル・ネットワーキング・システムに統合される、請求項１乃至４のうちいずれか一項に記載の方法。
【請求項６】
前記ローデータ及び／又はユーザコンテキストデータは、少なくとも部分的に、前記アクセスポイントを介する前記ネットワークへの前記ユーザのアクセスに関連付けられるアクセス又はリダイレクションページを介して収集される、請求項１乃至５のうちのいずれか一項に記載の方法。
【請求項７】
データを取込み、関連情報をユーザに分配することで収益を生成する方法であって、
（ａ）ユーザ、パブリックネットワーク、及び、ユーザのクリックスルーから収益がもたらされるウェブサイトを有するビジネスパートナーとのインターフェイスを含むシステムをインプリメントすることと、
（ｂ）ＭＡＣ及びロケーション情報（及びオプション的に調査）を含むローデータ（ＲＡＷ  ＤＡＴＡ）を取得することと、
（ｃ）ロケーション、時刻、及び頻度から形成されるプロファイルを、各ＭＡＣアドレスに基づいて作成することと、
（ｄ）前記１つ以上のＭＡＣアドレスのそれぞれに関連付けられるプロファイルＩＤを作成することと、
（ｅ）プロファイルグループを作成することと、
（ｆ）前記ＭＡＣアドレスをプロファイルグループに関連付けることと、
（ｇ）前記プロファイルグループを、前記ビジネスパートナーのデータ／情報／プロダクトの前記所望のオーディエンスと比較することと、
（ｈ）オプションとして、情報のリダイレクション及び／又は閾値機能をインプリメントすることと、
を含み、
前記解析の結果に基づいて、前記ビジネスパートナーにより供給される前記ターゲット／（広告）情報を関連付け且つ前記ネットワーク／システム（例えば、ビジネスパートナーシステム）を介して前記応答とともに前記ユーザに配信する、方法。
【請求項８】
ログオンしたユーザを追跡するスプラッシュコントロールページを含む、請求項１乃至７又は請求項９乃至１６のうちいずれか一項に記載の方法。
【請求項９】
基本のコネクティビティ用のサブウィンドウを保持するが、ユーザアクティビティ用の新しいメインウィンドウを生成する、請求項１乃至８又は請求項１０乃至１６のうちいずれか一項に記載の方法。
【請求項１０】
ユーザを、前記ビジネスパートナーに関連付けられる検索エンジンにダイレクトすることでインターネットトラフィックによる収益が生成される、請求項１乃至９又は請求項１１乃至１６のうちいずれか一項に記載の方法。
【請求項１１】
ユーザがビジネスパートナーと関わることを促進又は可能にするよう環境、挙動、生物学的データ又は情報と組み合わされたロケーション、時刻、又は、モニタリングされた事柄の組み合わせといった「コンテキスト」の存在を使用することを更に含む、請求項１乃至１０又は請求項１２乃至１６のうちいずれか一項に記載の方法。
【請求項１２】
ユーザをビジネスパートナーにダイレクトするために既知のビジネス的（例えば、金銭的）価値を確立するよう「コンテキスト」の存在を使用することを更に含む、請求項１乃至１１又は請求項１３乃至１６のうちいずれか一項に記載の方法。
【請求項１３】
（ａ）前記パブリックアクセスネットワーク内で、処理ソフトウェアが関連付けられる処理コンポーネント／ノード（例えば、ＵＮエンジンサーバ、ノード、又は他のエレメント）を関連付けることと、
（ｂ）前記ネットワーク内にアクセスデバイス（即ち、アクセスポイント／サーバ）をデプロイ／インプリメントすることと、
（ｃ）前記アクセスデバイスのユーザによって、前記パブリックアクセスネットワークを使用する許可を要求し、前記要求とともに前記ユーザの一意の識別情報を送信することと、
（ｄ）前記ユーザの一意の識別情報に応じて前記処理ソフトウェアにより決定される第１のデータ（例えば、スポンサーの媒体、アクセスデバイスのロケーションに基づいた関連情報、及び／又は、前記ネットワークを使用するための使用条件を有するスプラッシュページ）を送信することと、
（ｅ）前記特定のユーザ／一意の識別情報に対して接続を開くよう命令を送信すること（又は、単純に「前記特定のユーザ／一意の識別情報に対して接続を開くこと」）と、
を含む方法。
【請求項１４】
パブリックアクセスネットワークのユーザと提携する方法であって、
（ａ）前記パブリックアクセスネットワークに、処理ソフトウェアを有する／前記処理ソフトウェアへのアクセスを有する処理コンポーネントを関連付けることと、
（ｂ）前記ネットワーク内にアクセスデバイスをデプロイ／インプリメントすることと、
（ｃ）前記アクセスデバイスのユーザによって、前記パブリックアクセスネットワークを使用する許可を要求し、前記要求とともに前記ユーザの一意の識別情報を送信することと、
（ｄ）前記ユーザの一意の識別情報に応じて前記処理ソフトウェアにより決定される第１のデータ（例えば、スポンサーの媒体、アクセスデバイスのロケーションに基づいた関連情報、及び／又は、前記ネットワークを使用するための使用条件を有するスプラッシュページ）を送信することと、
（ｅ）前記特定のユーザ／一意の識別情報に対して接続を開くよう命令を送信すること（又は、単純に「前記特定のユーザ／一意の識別情報に対して接続を開くこと」）と、
を含み、
クライアント間のスヌーピングを阻止するイントラセルブロッキングが、ＲＡＤＩＵＳテクノロジを使用することなく実現される、方法。
【請求項１５】
パブリックアクセスネットワークのユーザと提携する方法であって、
（ａ）前記パブリックアクセスネットワーク内で、処理ソフトウェアを含む処理コンポーネント／ノードを関連付けることと、
（ｂ）前記ネットワーク内にアクセスデバイスをデプロイ／インプリメントすることと、
（ｃ）前記アクセスデバイスのユーザによって、前記パブリックアクセスネットワークを使用する許可を要求し、前記要求とともに前記ユーザの一意の識別情報を送信することと、
（ｄ）前記ユーザのネットワークトラフィックを、少なくとも始めは、前記処理コンポーネント／ノードに最初にルーティング／リダイレクトすることと、
（ｅ）前記ユーザの一意の識別情報に応じて前記処理ソフトウェアにより決定される第１のデータ（例えば、スポンサーの媒体、アクセスデバイスのロケーションに基づいた関連情報、及び／又は、前記ネットワークを使用するための使用条件を有するスプラッシュページ）を送信することと、
（ｆ）前記特定のユーザ／一意の識別情報に対して接続を開くよう命令を送信すること（又は、単純に「前記特定のユーザ／一意の識別情報に対して接続を開くこと」）と、
を含む方法。
【請求項１６】
ネットワークのユーザと関わるシステムであって、
（ａ）処理ソフトウェアが関連付けられるＵＮエンジンサーバにおいて、前記処理コンポーネント／ノードは前記パブリックアクセスネットワークとネットワーク構築される、ＵＮエンジンサーバと、
（ｂ）前記パブリックアクセスネットワーク内にインプリメントされ、ユーザを前記パブリックアクセスネットワークに接続するようユーザにより使用されるアクセスデバイス（即ち、アクセスポイント／サーバ）と、
（ｃ）各ユーザに関連付けられ、前記アクセスデバイスにより作成／生成され、また、前記処理コンポーネント／ノードに対して前記パブリックアクセスネットワークを使用する許可のための要求とともに送信される一意の識別情報と、
（ｄ）各ユーザの一意の識別情報に応じて前記処理ソフトウェアにより決定され、前記ユーザに戻される第１のデータ（例えば、スポンサーの媒体、アクセスデバイスのロケーションに基づいた関連情報、及び／又は、前記ネットワークを使用するための使用条件を有するスプラッシュページ）と、
を含み、
許可が承認されると、前記ユーザに対して接続が開かれる、システム。
【発明の詳細な説明】
【技術分野】
【０００１】
本発明は概してネットワーク運用及び情報処理用のシステム及び方法に係り、より具体的には、データの取得、処理、提供、及び／又は、相互運用性の機能に関するそのようなシステム及び方法に係る。
【背景技術】
【０００２】
過去十年間に亘ってワールド・ワイド・ウェブ（「ウェブ」）が徐徐に広まったことにより、ウェブ上で利用可能な内容が豊富なインタラクティブ型のマルチメディアコンテンツや、オンラインでビジネスが簡単に取引できることに惹きつけられたインターネットユーザの膨大なオンラインコミュニティが発生した。ウェブ上の商業活動（「Ｅコマース」）の浸透は、大部分は、オンライン又は仮想の小売業者によって、より最近では、従来の「ブリック・アンド・モルタル」店のオンラインでの存在によってもっぱら促進されてきている。
【０００３】
一般的に、インターネットユーザは、ニュース関連サイトといったウェブ上のコンテンツリッチなサイト又はユーザが捜し求めているコンテンツを提供するサイトへのリンクを提供するポータルから、若しくは、ユーザが求める情報を収集するようウェブを検索する検索エンジンを介して、情報を取得する。ウェブサイトは、しばしば、「クッキー（Ｃｏｏｋｉｅ）」と呼ばれるマーカーを、閲覧されたコンテンツに基づいてユーザのコンピュータ上に保存する。１つのそのような既知の方法では、クッキーは、その後、読出し且つアップデートされてユーザプロファイルが構築されうる。
【０００４】
クッキーを使用してターゲットを絞ったコンテンツを配信しうるが、このアプローチは、本発明の１つの面に関連する幾つかの欠点を有する。まず、サイトは、そのサイトの訪問者を対象に設定されるクッキーしか使用することができない。これは、過去におけるそのサイトへのユーザのアクセスは限られているので、当該ユーザの画一的な印象をもたらしてしまう。次に、クッキーを読出ししてターゲットを絞ったコンテンツを配信できるようにするには、ユーザはそのクッキーが設定されたサイトに行かなければならない。最後に、モバイルコンピューティングが急増し、継続的に成長していることによって、クッキーに格納されるユーザプロファイル関連情報は検討違い又は絶望的に不正確になりうる。例えば、ユーザの地理的なロケーション情報は、絶え間なく変化しうる。従って、ルイジアナ州ニューオリンズにある店の広告を表示することは、ユーザが、現在、フランスのパリにいる場合には、サーバーリソースの無駄となってしまいうる。その一方で、広告がフランスのパリにあるケージャン又はクレオール料理のレストランに関するものであれば、その広告は非常に効果的となりうる。そのようなコンテンツ配信決定を行うには、動的にアップデートでき、且つ、リアルタイムで利用できるウェブサイト非依存型のユーザ関連情報が必要である。
【０００５】
インターネットユーザは、バナー又はポップアップウィンドウといった従来の広告宣伝技術に対してますます反応しなくなってきており、広告コンテンツの供給者が直面する問題はより深刻になっている。従って、広告主は、よりコンテンツリッチな広告宣伝に頼るようになってきている。コンテンツリッチな広告宣伝では、プレゼンテーションにおける戦略上のポイントにおいてコンテンツを掲載することでより示唆的に広告宣伝を行う。コンテンツリッチな広告は効果的ではあるが、大きいデータバンド幅を必要とするので、コンテンツの供給者が、ユーザプロファイルに関連する情報を処理し、リアルタイムでターゲッティング決定を行う時間はあまりない。更に、プライバシ及びデータセキュリティに関する関心の高まりと共に、多くのユーザは、定期的に自分たちのコンピュータ上に格納されたクッキー又は他のトラッキング情報を削除するので、上述したようなターゲッティング決定は困難、又は、不可能となっている。この結果、コンテンツサーバは、ターゲッティングにほとんど又は全く尽力することなくウェブサイトのユーザにラウンドロビンで再々提供されるコンテンツの固定プールに依存している。
【０００６】
広告コンテンツの供給者の収益動向は、しばしば、ユーザによるクリックスルー率に基づく。換言すれば、収益動向は、しばしば、ユーザに提供される広告の生の数ではなく、広告に応答したユーザの数に依存する。従って、ターゲットが絞られていないラウンドロビン配信スキームでは、各広告が多数のユーザに提供されるので、プール内の広告の数及びタイプが限定される。また、ターゲットが絞られていない広告は、一般的に、クリックスルー率が低いので広告主の収益は減少する。
【０００７】
ワイヤレスアクセスポイント（「ＡＰ」）は、様々なモバイルユーザのグループをターゲット対象とするアプローチを提供する。ＡＰは、モバイルコンピューティングのユーザがウェブにアクセスするためのゲートウェイを提供し、また、更に広告主にロケーションに固有の情報を提供できうる。しかし、このようなアクセスポイントをデプロイすることは、これまでのところ困難且つ費用がかかってしまっていた。更に、現行のインプリメンテーションは、ターゲットを絞ったコンテンツの配信に必要な大規模なデータ収集及び情報処理能力を提供しない。
【０００８】
一般的に、ユーザにコンテンツを配信する従来の方法及びシステムは、ユーザプロファイル及び行動に関して大まかにウェブサイトに基づいて静的な一般化を行うので、ターゲットを絞ったコンテンツを、インテリジェントに適応されたリアルタイム配信をすることができない。更に、ロケーションに関するデータといったデータが利用可能であっても、現行の方法は、異種データベースの複雑な相関関係を必要とする。このような相関関係は、著しい遅延及び性能の低下をもたらすので、エンドユーザは、自分のいるロケーションに関する情報をタイミングよく取得できない。これらの制限によって、コンテンツ及びサービスプロバイダも障害にぶつかる。性能が制限され、また、デバイス及びロケーションのレンジが制限される場合、サービスプロバイダは、ユーザに均一なレベルのサービスの提供を保証できない。従って、大衆市場の多数のエレメントにサービスを提供できないという推測される知識によって、大衆市場へのデプロイメントは、実現不可能であり、また、極めて高価となる。
【０００９】
従って、ウェブサイト非依存型のユーザプロファイル関連情報を構築し、増加するモバイルコンピューティングコミュニティに対してリアルタイムでターゲットを絞ったコンテンツをアップデート、適応処理、及び配信できる、効率的で容易にデプロイできる適応型学習方法及びシステムが必要である。
【発明の概要】
【００１０】
本発明では、ビジネスモデル及び／又は広告宣伝方法を含む、ネットワークの運用、情報の収集及び処理、及び、ターゲットを絞ったコンテンツの配信用のシステム及び方法を提供する。
【００１１】
本発明のある実施形態では、ターゲットを絞ったコンテンツの配信用のシステム、装置、及び方法を提供する。ある実施形態では、この方法は、コンピュータネットワーク、又は、ＷｉＦｉ、ＷｉＭＡＸ、ＤＳＬ、ケーブル、ＩＰＴＶ等のＩＰネットワーク、ＷｉＭＡＸ、ＤＳＩ、ケーブル、ＩＰＴＶ、インターネットビデオネットワークのうちの任意のネットワークへのユーザのログオンを登録することと、ユーザから、ユーザ関連情報を収集することを含む。ネットワークにログオンした各ユーザのロケーション中心情報は、サーバに中継され、各ユーザのユーザプロファイル情報は、データベースから取出しされる。ある実施形態では、ユーザプロファイルがデータベース内にない場合、データベース内に新しいエントリ及びプロファイル情報が作成されうる。各ユーザのユーザプロファイル及びロケーション中心情報は処理されて、各ユーザに対してターゲットを絞った情報が得られ、その情報は、コンテンツプロバイダに送信され、コンテンツプロバイダは、その情報を使用してユーザに対して表示されるべきコンテンツを選択する。ある実施形態では、ユーザプロファイル及びロケーション中心情報は、ユーザがインターネットにアクセスする目的でログオンするワイヤレスアクセスポイントから収集されうる。ある実施形態では、ワイヤレスネットワークは、公的にアクセスできうる。
【００１２】
プロファイルデータ及び情報
ａ．プロファイルは、多種類のパラメータに基づきうる
ｉ．デバイスについて収集される技術（technographic）情報、及び、１つのセッション中にトランザクションされた（アップリンク／ダウンリンク）データの総量。従って、デバイス及びその挙動、及びユーザについての広範囲の情報。これは、デバイスの「フィンガープリント」（例えば、ブラウザのタイプ、ブラウザをインストールした日付、スクリーンサイズ、オペレーティングシステム）を提供する。
ｉｉ．デバイスの現在のロケーションについてネットワークにより収集される地理情報、及び、デバイスの前のロケーションの履歴データ。従って、「ジオ／ロケーションタグ」。
ｉｉｉ．クロノグラフィック情報。これは、ユーザがネットワークに接続した時刻／日付、インターネットセッションの継続時間、及び、ネットワークに前にアクセス又はエントリしたロケーション及び時間に関する履歴データである。従って、「頻度／継続時間タグ」。
ｉｖ．次のものから収集される人口統計学的データ：
１．ネットワークオペレータ（男性、２５−３０歳、年収７．５万米国ドル未満といったようにＰＩＩ（個人を特定できる情報）から得られる）
２．ユーザ入力：調査、インセンティブ、及びカスタマイゼーション
３．広告主の統計、データ等。例えば、オンライン広告会社は、例えば、クッキー、匿名の購入統計、ブランド嗜好といった顧客についての既存情報を有する。
ｖ．心理学的データ（心理学的データは、ソーシャルグループ解析の一形態であり、人々の価値観及びライフスタイルに応じた周りの環境に対する反応を調査する）。この情報は、広告主、デスティネーションサイト、広告主の情報（広告主は、時間の経過に従ってユーザをよく把握するようになる）とのユーザ入力の組み合わせにより提供できる。
【００１３】
本発明のある実施形態による方法は更に、商用コンテンツを、ターゲットを絞って配信することと、ウェブサイトオペレータによって配信に利用可能な商用コンテンツのインベントリを増加することに関する。ある実施形態では、ターゲットを絞ることのできるコンテンツが多くあるインベントリは、サーバ上に格納され、ユーザに関するターゲッティング情報が受信され、ターゲットを絞ることのできるコンテンツと関連付けられる。ある実施形態では、ターゲットを絞ることのできるコンテンツは、次に、当該のユーザに対して受信したターゲッティング情報とターゲットを絞ることのできるコンテンツとの関連付けに基づいて、ユーザのブラウザ上での表示のために選択される。ある実施形態では、ユーザのブラウザ上での表示のために選択されるターゲットを絞ることのできるコンテンツは、ユーザの嗜好又は他の基準に基づいて、表示前に変更されてもよい。ある実施形態では、ユーザのブラウザ上での表示のために選択されるターゲットを絞ることのできるコンテンツは、ウェブサイトユーザにより使用される表示デバイスのパラメータに基づいて、変更されうる。
【００１４】
データのプレゼンテーション
収集されたデータは、広告、検索、及びコンテンツプロバイダに向けて、生の明示的な形式で送信できる。しかし、このことは、あまり求められない又は必要とされない。
【００１５】
業界基準の慣行によるデータのクラスタリングは、データベースを、コンパクトであるが意味のあるメタデータセットに「プリランチ」するよう使用されるフォーマットである。データベースは、時間の経過と共にアップデートされるが、広告、検索、又はコンテンツネットワークへの任意のランチポイントにおいて利用可能でもある。
【００１６】
クラスタリングは、情報を受取り側と確立された契約上のビジネス関係、及び、収集したデータを管理、リフレッシュ、アップデート、及び解析する能力の両方に基づいて、複数のフィルタを使用して行われる。
【００１７】
例えば、広告主が、特定の金曜日の午後に特定の人口統計又は特定の市場においてあるブランドの特定の広告を放送するキャンペーンに関心がある場合、例えば、スポーツ志向のＴＶチャンネルを選択するのではなく、スポーツの出版業者（ウェブサイト）を選択し、特定の時間に特定の地理的市場においてそのキャンペーンを行うことができる。これにより、広告主は、複数の出版業者を対象とした地理的な市場全体に亘って大きいフットプリントを購入でき、このことは、今日のインターネット上では可能ではない。
【００１８】
このために使用されるクラスタリングのタイプは、「男性、２５−４０歳、シカゴ、平均家計所得が年間３，５００米国ドル未満の地域以外の郊外」といったフィルタでありうる。このパラメータは、データベースをソーティングし、ターゲットオーディエンスを予め選択するよう使用され、従って、データベース内のデータが必要になる日及び時間となったときには、データベース内には、１つ以上の広告ネットワークに配信する準備の整ったデータセットが既にあり、そのデータセットはそのメッセージに適した全ての出版業者に提供されるが、当該の市場及び基準にのみ適用される。このデータは、データベース内に駐在する、又は、イベントよりもかなり前に広告ネットワークにエキスポートされてもよく、従って、広告は、「トリガ前（pre-triggered）状態」に置かれることになる。この状態では、関連データが広告主のデータベース内にあるので、ＴＴＩＰ（トラステッド・ターゲッティング・インフォメーション・プロバイダ）からプロファイルを送信するのではなく、ネットワークに接続されるデバイスの関連付けとそのセッションＩＤ及びＩＰアドレスだけが必要となり、上述のキャンペーンに関しては、広告主が、キャンペーンを自発的に実行し、全てのレコード及びメトリクスをリリースしてＴＴＩＰに戻すことができる。
【００１９】
アナリティクスは、複数ティアのフィルタリング及びグラニュラリティで配信される（例えば、過去１２時間に亘ってネットワークに接続していない全ての人で、特定の市場等における全ての男性で、ネットワークを頻繁に利用し、午後によく利用する傾向があり、また、特定の年齢群等の全ての人）。
【００２０】
ターゲットを絞ったコンテンツを配信する方法の一部では、消費者に関する収集情報を使用することで、消費者に対してターゲットを絞った配信のために広告サーバ上で利用可能な広告インベントリを増加できる。ある実施形態では、広告インベントリにおけるこのような増加及びコンテンツの配信は、バンド幅要件を増加することなく既存のシステムによって実現しうる。
【００２１】
クッキー：
クッキーは、個々のマシンに対して広告及びコンテンツのターゲットを絞るために通常使用される（なお、クッキーは、個々のユーザとではなくマシンとのみインタラクトする）。
【００２２】
システムの非常に単純なインプレメンテーションは、クッキー内に既に存在する情報に依存して、クッキーがデポジットされた場所でデバイスと関連付けることである。クッキー削除は、侵害から個々のマシンを保護する観点から行われるので、ミラーリングされたクッキーが「ネットワーククッキー」に格納される。このクッキーも必要であればユーザによって削除されうるが、デバイス内に駐在という特性からネットワーク内に駐在という特性に変わったので、これらのクッキーは、エンドユーザデバイスに悪意をもって攻撃をする能力はない。
【００２３】
上述の及び他の実施形態をより詳述し及びその動作の原則を以下のセクションにて説明する。
【図面の簡単な説明】
【００２４】
【図１Ａ】本発明の１つ以上の実施形態による、ターゲットを絞ったコンテンツの配信用の例示的なシステムを示すブロック図である。
【００２５】
【図１Ｂ】本発明の１つ以上の実施形態による、ターゲットを絞ったコンテンツの配信用の例示的なプラットホームのアーキテクチャを示すブロック図である。
【００２６】
【図１Ｃ】従来の情報処理及び配信を説明する図である。
【００２７】
【図１Ｄ】本発明の１つ以上の実施形態による、１つ以上の例示的なターゲットを絞った広告宣伝、ターゲットを絞った検索、及びコンテンツ配信のビジネス方法／モデルの１つの代表的なアーキテクチャを示す図である。
【００２８】
【図１Ｅ】本発明の１つ以上の実施形態による、１つ以上の例示的なターゲットを絞った広告宣伝、ターゲットを絞った検索、及びコンテンツ配信のビジネス方法／モデルの別の代表的なアーキテクチャを示す図である。
【００２９】
【図１Ｆ】本発明の１つ以上の実施形態による、例示的な情報処理及び配信を説明する図である。
【００３０】
【図１Ｇ】本発明の１つ以上の実施形態による、追加の例示的な情報処理及び配信を説明する図である。
【００３１】
【図１Ｈ】従来のローカルでの情報格納及び処理を説明する図である。
【００３２】
【図１Ｉ】本発明の１つ以上の実施形態による、一部の例示的なグローバルでの情報格納及び送信を説明する図である。
【００３３】
【図１Ｊ−１Ｋ】本発明の１つ以上の実施形態による、情報処理フィードバックモデルを説明する図である。
【００３４】
【図１Ｌ】本発明の１つ以上の実施形態による、一部の例示的なインタラクティブ型調査／嗜好ボタンを示す図である。
【００３５】
【図１Ｍ】プロファイルに基づいたトランザクションのデータフローとＦｅｅｖａイネーブルされたネットワークの追加の機能を示すブロック図である。
【００３６】
【図１Ｎ】Ｆｅｅｖａプロファイルに基づいたトランザクションにおける詳細なデータフローを説明する図である。
【００３７】
【図２】本発明のある実施形態による、ネットワーク運用及び情報処理をインプリメントする例示的なプロセスを説明するフローチャートである。
【００３８】
【図３】本発明のある実施形態による、ネットワーク運用及び情報処理をインプリメントする例示的なプロセスを説明するフローチャートである。
【００３９】
【図４】本発明のある実施形態による、ネットワーク運用及び情報処理をインプリメントする例示的なプロセスを説明するフローチャートである。
【００４０】
【図５】本発明のある実施形態による、ネットワーク運用及び情報処理をインプリメントする例示的なプロセスを説明するフローチャートである。
【００４１】
【図６】本発明のある実施形態による、ネットワーク運用及び情報処理をインプリメントする例示的なプロセスを説明するフローチャートである。
【００４２】
【図７】本発明のある実施形態による、ネットワーク運用及び情報処理をインプリメントする例示的なプロセスを説明するフローチャートである。
【００４３】
【図８】本発明のある実施形態による、ネットワーク運用及び情報処理をインプリメントする例示的なプロセスを説明するフローチャートである。
【００４４】
【図９】本発明の１つ以上の実施形態による、ネットワーク運用及び情報処理をインプリメントする例示的なプロセスを説明するフローチャートである。
【００４５】
【図１０】本発明の１つ以上の実施形態による、ネットワーク運用及び情報処理をインプリメントする例示的なプロセスを説明するフローチャートである。
【００４６】
【図１１Ａ】オンライン広告空間における現在の問題及び機会を示すチャートである。
【００４７】
【図１１Ｂ】オンライン広告のターゲットを絞った検索及びコンテンツ配信に関する現在の様々なビジネス方法／モデルの検討事項を示すチャートである。
【００４８】
【図１１Ｃ】オンライン広告のトラッキング及び測定における現在の問題及び機会を示すチャートである。
【００４９】
【図１１Ｄ】オンライン広告空間における現在の問題及び機会を示すチャートである。
【００５０】
【図１１Ｅ】ブロードバンド及び収益空間における現在の問題及び機会を示すチャートである。
【００５１】
【図１２】従来のウェブに基づいた広告のターゲットを絞った検索及びコンテンツ配信の方法を説明する図である。
【００５２】
【図１３】本発明の実施形態による、ターゲットを絞った広告のターゲットを絞った検索及びコンテンツ配信の方法を説明する図である。
【００５３】
【図１４】従来のウェブに基づいた広告宣伝方法を使用するサイトにおける現在の広告インベントリ又はターゲットを絞ったコンテンツ又は検索結果のターゲットを絞った検索及びコンテンツ配信を説明する図である。
【００５４】
【図１５−２０】本発明の１つ以上の実施形態による、ネットワーク運用及び情報処理のシステム及び／又は方法を示す図である。
【００５５】
【図２１】本発明の１つ以上の実施形態による、プロファイルにタギングするイネーブラのシステム及び／又は方法を示す図である。
【００５６】
【図２２】本発明の１つ以上の実施形態による、通信事業者ネットワークへの統合のシステム及び／又は方法を示す図である。
【発明を実施するための最良の形態】
【００５７】
本発明では、ネットワークの運用、情報の収集及び処理、及び、ターゲットを絞ったコンテンツの配信用のシステム及び方法を提供する。ある実施形態では、ターゲットを絞ったコンテンツは、商用及び広告情報を含みうる。
【００５８】
本発明のある実施形態では、ワイヤレスアクセスポイントをデプロイメントするための「システム・イン・ア・ボックス（system in a box）」ソリューションを提供する。ある実施形態では、この「システム・イン・ア・ボックス」ソリューションは、既存のアクセスポイントと協働して、追加サービス及び本発明の実施形態による方法を提供しうる。ある実施形態では、アクセスポイントサービスを提供するシステムが、ＡＰサービスを使用するデバイス及びユーザに関する情報を収集する。この情報には、ユーザ及びデバイスの識別情報と、ブラウジング履歴に関連する情報が含まれる。収集された情報は、ロケーションに固有の情報と組み合わされ、この組み合わされた情報は、サーバに中継されてデータベース内に格納される。ターゲットを絞ったコンテンツを配信するある実施形態では、システムは、ユーザ又はデバイスがＡＰサービスへのアクセスを求めるときに当該ユーザ又はデバイスを特定し、データベース内のロケーションに固有の情報をアップデートし、また、アクセスを容易にするようネットワークの近接キャッシュにユーザ及び／又はデバイスのプロファイル情報をダウンロードしうる。ターゲットを絞ったコンテンツを配信するある方法では、ユーザ及びデバイスのプロファイル関連情報は、ユーザが訪れたサイトに中継されて、商用コンテンツの選択を支援しうる。ある実施形態では、ユーザに向けられた商用コンテンツ情報は、ユーザが使用するデバイスのタイプに基づいて、再フォーマット化、変更、又はエンハンスされうる。ある実施形態では、ウェブページに属するサイト固有のテンプレートがサーバ上に格納されるか、又は、近接するネットワークキャッシュからアクセスされうる。このテンプレートを使用して、商用コンテンツを、ユーザに配信する前に、ユーザ及び／又はデバイスのプロファイル情報に基づいて変更又は置換しうる。ある方法では、メッセージの商用コンテンツは、ユーザの商用又は広告コンテンツとのインタラクション又は受容性、又は、検索キーワードに基づいて継続的に適応されうる。
【００５９】
図１Ａは、本発明の１つ以上の実施形態による、例示的なシステム１００を示す。システム１００の構成要素は、ハードウェア、ソフトウェア、及び／又はファームウェアの任意の好適な組み合わせによって実装可能である。
【００６０】
図１Ａに示すように、本発明のある実施形態では、システム１００は、以下の例示的なシステムソフトウェア及びハードウェアを含むことができる。ある実施形態では、図１Ａに示すサーバ及び関連システムは、標準的な既製品でありうる。例えば、本発明のエンジンサーバ１６０は、マイクロソフト（登録商標）（「ＭＳ」）社のＳＱＬサーバを使用しうるデータベース１６５、及び／又は、データベース内の情報にアクセスする及びデータベース内に情報を提供するための他のプログラム又はコード１６３を含みうる。ある実施形態では、システムは、例えば、ＳＱＬ、ＸＭＬ、ＳＯＡＰ、ＡＳＰ、及びＨＴＴＰの言語を使用してタスクを実行しうるが、任意の好適なプログラミング言語又はツールを使用してもよい。
【００６１】
データベース１６５内の情報は、ＡＰサーバ１２０に接続する複数のクライアント１１０からＡＰサーバ１２０により収集される情報を使用して、ネットワーク１７０を介してアップデートされる。ある実施形態では、ＡＰサーバ１２０は、特定のユーザ又はデバイスが以前にシステムにアクセスしたことがあると判断すると、ＵＮエンジンサーバ１６０からユーザ及びデバイスのプロファイル情報を要求しうる。ある実施形態では、ユーザ又はデバイスのプロファイル情報は、迅速なアクセスのために近接のネットワークキャッシュ（図示せず）にダウンロードされてもよい。本発明によるある実施形態では、複数のミラーリングされたＵＮエンジンサーバを使用し、ネットワーク１７０全体に物理的及び地理的に分散されてもよい。ネットワーク１７０は、ＬＡＮ、ＷＡＮ、又はインターネットでありうる。ある実施形態では、ＡＰサーバ１２０は、「システム・イン・ア・ボックス」ソリューションを提供する本発明によるサーバでありうる。ある実施形態では、ＡＰサーバ１２０は、例えば、Ｐｒｏｘｉｍ、Ｌｉｎｋｓｙｓ、Ｄｌｉｎｋ、Ｃｏｍｐｅｘ、Ｂｕｆｆａｌｏ  Ｔｅｃｈｎｏｌｏｇｉｅｓ、Ｎｅｔｇｅａｒ、Ｔｅｒａｂｅａｍ、Ｎｏｍａｄｉｘ、及びＰｌｕｇ  Ｉｎｎ  Ｇｏ等の一般的なプロバイダからのリモートワイヤレスアクセスポイント／サーバといった既存のＡＰシステムと共に使用されうる。ある実施形態では、ターゲットを絞ったコンテンツの配信システムは更に、有線技術と共に使用又はインプリメントされてもよい。ターゲットを絞ったコンテンツの配信システムの実施形態は更に、信号増幅器、外部アンテナ、信号分割器、及び他の標準機器を構成要素として含んでもよい。
【００６２】
ある実施形態では、エンドユーザがコンピューティングデバイスを使用してウェブサイトをブラウジングすると、ＡＰサーバ１２０は、ブラウジング習慣に関する情報を収集し、この情報をＵＥエンジンサーバ１６０に中継する。ＵＮエンジンサーバ１６０において、そのユーザ及び／又はデバイスのデータベースレコードがアップデートされうる。ある実施形態では、ＡＰサーバは、ＵＮエンジンサーバ１６０から情報をダウンロードして、この情報の一部を変更し、変更した一部をコンテンツサーバ１３０及び／又は広告（ＡＤ）ルータ１４０に送信しうる。ある実施形態では、ＡＰサーバ１２０からコンテンツサーバ１３０により受信されたユーザ及び／又はデバイスのプロファイル情報は、コンテンツサーバ１３０によって使用されて、広告ルータ１４０から取出しされるべき広告又はコンテンツ又は検索結果を決定しうる。コンテンツ及び広告の情報は、コンテンツサーバ１３０によって組み合わされ、ＡＰサーバ１２０に送信され、ＡＰサーバ１２０は、それをクライアント１２１に送信する。ある実施形態では、ＡＰサーバ１２０は、デバイスの特徴に基づいてネットワーク１７０を介して受信されたコンテンツ又は広告を変更しうる。例えば、クライアント１２１がハンドヘルド式デバイスである場合、コンテンツのフォーマットは変更されて、ハンドヘルド式デバイスの画面及び他の特徴により適切にされる。
【００６３】
より広いプラットホーム及びロケーションを中心とした機能について、ターゲットを絞ったコンテンツの配信システムのコンテキストにて以下に説明する。ある実施形態では、ロケーション中心特徴は、例えば、交通センター、公園及び公の野外エリア、公の室内エリア（例えば、図書館）及びホテルのロビー、ショッピングモール、小売店、飲食場所、レンタルセンター等を含むユーザが訪れたことのあるあらゆる物理的な場所に関しうる。本発明の実施形態では、ロケーション中心情報は、特定の地理的な場所（例えば、緯度及び経度）だけでなく、物理的な場所の周りの関心エリアといった環境によっても定義される。例えば、観光地、飲食場所、ホテル、ショッピングエリア、娯楽エリア等は全てロケーションに関する関心エリアでありうる。一般的に、システムの実施形態は、本発明の装置及び／又は方法を使用するＡＰサービスプロバイダが、ＡＰサーバ１２０の部分を適切な「関心エリア」データで設定することを可能にしうる。従って、本発明の実施形態は、システムプロバイダが望みうる全ての潜在的な行動に関連するロケーションのカタログを含み、それにより、関心のロケーションでの特定の時間帯又は距離内のユーザにターゲットを絞ることができる。一部の実施形態では、本発明のターゲットを絞ったコンテンツの配信システムの広告及びコンテンツ及び検索結果の「ジオターゲッティング（geo-targeting）」は更に、気候、天候、コミュニティの民族的な混合等といったロケーションの人口統計学的データに密接に関連する情報を含み、また、人口密度といったような単純な数値情報の使用を越えて拡大しうる。このようなロケーションの認識は、コミュニティ又は人口の特定のセグメントに対して広告、コンテンツ、又は検索結果を配信する及び的を絞ることを可能にする。
【００６４】
本発明の実施形態によるターゲットを絞ったコンテンツの配信システムは、従来の広告、コンテンツ、又は検索結果よりも効果的である。これは、広告主、クーポン提供者、又は情報プロバイダが、コンテンツを、ユーザからの回答が測定されることで直接的に適応できるからである。これは、広告、コンテンツ、及び検索結果が、ユーザ及びファイナンシャルモデルに対して純粋にインタラクティブであるようにされることが可能である第１のメカニズムである（即ち、ユーザが情報に働きかけ、取引を行うためにあるロケーションに物理的に出掛けることによる収益の生成）。更に、このメカニズムでは、プロダクトがユーザに発送又は配達されなくてはならないことによってサービスの実現が遅延されることはなく、ユーザは、プロダクトを提供する最寄のロケーションに案内される。本発明の実施形態の利点を十分に活用する目的で、本発明の実施形態を実現するためのソフトウェアアーキテクチャ又はソフトウェアプラットホームは、図１Ｂに示すように構築されうる。
【００６５】
図１Ｂに示すソフトウェアコンポーネントは、エンジンサーバ１６０上にデプロイされても、又は、データ共有を可能にするようネットワークによって接続される幾つかの物理的なコンピューティングデバイスに亘って分散されてもよい。ある実施形態では、例えば、ロケーション及びトラフィックのサーバの機能の一部又は全ては、ＡＰサーバ１２０といったＡＰサーバに分散されてもよい。ある実施形態では、図１Ｂに示す例示的なソフトウェアプラットホームは、本文書中に記載しうる他の機能を実行する追加のコンポーネント（図示せず）を含んでもよい。その機能には、演算又は解析エンジン及び／又は他のタイプのサーバを含みうる。ある実施形態ではこれらのコンポーネントは、図１Ｂに示すコンポーネントの一部でありうる。
【００６６】
ある実施形態では、図１Ｂに示すロケーション及びトラフィックのサーバは、既に使用されている全てのＡＰのチャネル設定、及び、ロケーション及びインストールのプロファイルを管理する。ロケーション及びトラフィックのサーバは更に、例えば、例示的なサーバ１２０といった新しいＡＰサーバがそれぞれネットワーク上で初めて見つけられるときに、新しいＡＰサーバのそれぞれとトランザクトすることもできる。ある実施形態では、ロケーション及びトラフィックのサーバの機能の一部は、ＡＰサーバ１２０上に駐在しうる。各ユーザが特定のロケーションにおいてネットワークに接続すると、ロケーション及びトラフィックのサーバが行う最も単純な機能は、そのロケーションの情報（即ち、新しいユーザが特定の場所においてネットワークに接続したことを示す情報）を転送することである。この情報は、広告又は商用コンテンツのサービスプロバイダ（即ち、ターゲットを絞ったコンテンツの配信プラットホームの外部のエンティティと通信するアプリケーションインターフェイス）に配信できる。次に広告又は商用コンテンツのサービスプロバイダは、任意の所望のタスクを実行できる（例えば、特定のロケーションに関する広告、コンテンツ等を表示する）。
【００６７】
ある実施形態では、図１Ｂに示す空間／時間／人口統計学のアナリティクスサーバが、ロケーション中心データ及び情報を、ロケーション及びトラフィックのサーバから受信する。このアナリティクスサーバは更に、ユーザに関する情報を、ロケーション及びトラフィックのサーバから受信する。ある実施形態では、ユーザ情報を変更してプライバシ及び匿名性を確保することで、後にこのデータが第三者と共有される場合に、プライバシに関する任意の施行規制に違反しないようにする。
【００６８】
ある実施形態では、空間／時間／人口統計学のアナリティクスサーバは、エンジンサーバ１６０の一部であってよく、必要に応じてデータベース１６５にアクセスしうる。この時、アナリティクスサーバは、ＡＰのロケーション及びクライアントのＡＰにおけるアクティビティだけでなく、残りの人口統計学的情報及び現在の環境情報（例えば、天候、人口密度）、並びに、映画、演劇、オペラといった特別なイベント、娯楽に関する小売業者又はコミュニティから供給される情報を含むデータベースを有する。
【００６９】
ある実施形態では、ソフトウェアプラットホームは、図１Ｂに示すようにトランザクション／トレーディングマネジャ・コンポーネントを含みうる。トランザクション／トレーディングマネジャ・コンポーネントは、システムが完全にインタラクティブであるというポテンシャルからの恩恵を受けるコンテンツプロバイダ（広告主、イベント及び会議運営者等）に対するインターフェイスを与える。ある実施形態では、トランザクション／トレーディングマネジャ・コンポーネントは、エンジンサーバ１６０の一部でありうる。
【００７０】
ある実施形態では、トランザクション／トレーディング・マネジャサーバは、アナリティクスエンジンに供給されるデータの一部に基づいて、オークションプロセス、又は、所定の契約上のプロセス、手順、若しくは規則に従って駆動されて、特定のタイプのコンテンツをユーザに配信する外部インターフェイスを有する。例えば、ソフトドリンク製造業者とウェブサイトとの間で事前契約によって、ニューヨーク市内の気温が９０度を超える場合に市内の任意のロケーションにいるユーザにソフトドリンクに関連する特定の広告コンテンツが配信されうる。別の例として、洋服小売店は、次の２、３日の間に雨天を予報する天気予報がある場合に雨天用衣類を広告宣伝し又はクーポンを提供する契約を有しうる。
【００７１】
本発明における、識別子、ＭＡＣアドレス及び／又はＵＩＤ（一意識別子）（「ＭＡＣ／ＵＩＤ」と呼ぶ。この用語は、ネットワーク上のデバイス内の任意の他の一意のソフトウェア又はハードウェアに基づいたＩＤも含む）といった一意の識別子の使用、及び、他の情報の処理を次に説明する。背景説明として、ＭＡＣアドレスの既知の使用を図１Ｃに示す。図１Ｃに示すように、ＭＡＣアドレスといった基本の識別子情報は最初に既知でありうるが、これは、ルーティングの段階において失われ、後のネットワーク処理では考慮されなくなる。
【００７２】
図１Ｄは、本発明の１つ以上の実施形態による、ターゲットを絞った広告宣伝の例示的なビジネス方法／モデルの１つの代表的なアーキテクチャを示す。図１Ｄでは、広告表示デバイスを有するユーザは、モバイルイーサネット（登録商標）又は８０２．１１ａ／ｂ／ｇ（ｎ）を使用するワイヤレス接続といった任意の好適な手段を介して、１つ以上のアクセスポイント（「ＡＰ」）又はネットワークに結合される無線又は有線アクセスネットワークデバイス（例えば、ＤＳＬ又はケーブルモデル又はセットトップボックス）に結合される。このアクセスポイントネットワークは、次に、インターネットといったより大きなネットワークに結合され、このネットワークは、本発明のある実施形態による１つ以上のプラットホームにも結合されうる。本願に記載するように、このようなプラットホームは、一般的に、それに関連付けられるデータベースも有する。この実施形態では、より大きなネットワークは更に、１つ以上のサービスプロバイダに結合され、これらのサービスプロバイダは、商品又はサービスを販売したいビジネスパートナーといったエンティティ用のコンテンツ及びサービスを広めるよう動作する。図１Ｄに示すように、これらのビジネスパートナーは、広告主であってよく、それぞれ、１つ以上のサービスプロバイダに結合される。このアーキテクチャによる実施形態は、従前のネットワークの相互運用性に関する欠点を解決する。例えば、あまり効果がないことが示されている有料（pay-to-use）モデルタイプが必要でなくなる。例えば、図２−１０等に示す特徴及びその説明に関連して、本発明のプラットホームは、ユーザ／インターネットのトラフィックをリダイレクトするその役割において、時間の経過とともに、各ＭＡＣアドレス及び／又はＵＩＤ（一意識別子）（以下、「ＭＡＣ／ＵＩＤ」）に対して価値が増加する情報を蓄積する。具体的には、プラットホームのデータベースに含まれる知識は、使用の度にシステムが収集する、どんなに多くても良い新しいデータ点によって増える。例えば、１つの好適な実施形態では、システムは、使用条件ページにログインする度に、ユーザに関する２つのデータ点、ＭＡＣ／ＵＩＤを収集する。データを収集することで、将来の広告及びオークションモデルが、その配信プロファイルを、広告のコンテンツだけでなくより一層価値のある／包括的なユーザに関するデータに基づくことを可能にする。この情報処理機能は、本願に記載するように、ロケーション、コンテキスト、及びユーザのプロファイルに応じて、高度にパーソナライズされた情報の配信プロファイルを提供する。
【００７３】
図１Ｅは、本発明の１つ以上の実施形態による、ターゲットを絞った広告宣伝の例示的なビジネス方法／モデルの別の代表的なアーキテクチャを示す。特別な状況を除いて、一意のＩＤ又はＭＡＣ／ＵＩＤは再び暗号化されて、例えば、エンジンサーバ１６０における関連データベース内の情報を保護する。このことは非常に重要である。というのは、そうしなければ、暗号システム全体が適切な保護を有さないからである。図１Ｅの実施形態は、本願に開示するターゲットを絞った広告宣伝のビジネス方法及びモデルに関連付けられたシステム、サイト、及びエンティティの一部間の相互関係を示す。具体的に、図１Ｅは、これらの様々なシステムエレメント及びエンティティに対する、又は、これらからの情報処理のための基本的なアーキテクチャを示す。
【００７４】
本発明の１つ以上の実施形態による、ロケーション及びデスティネーションに基づいたサービス及び情報処理の幾つかの例を次に説明する。本願に記載するように、本発明の実施形態は、ユーザのロケーションに基づいてコンテンツのサービスを提供する。例えば、交通手段を使用することでユーザのロケーションが変化する場合、コンテンツサービスは、様々に異なるロケーションを対応するよう動的に提供されることが可能である。例えば、ユーザが交通機関のロケーション（例えば、空港、駅）にいる実施形態では、ネットワークは、ユーザは、特定の目的地に向かおうとしていることを想定できる。そのようなロケーションを把握することで、システム及びネットワークは、様々な方法で最終目的地を判断できる。ローカルの交通手段が特定の選択された範囲の目的地に向かう場合、問題や可能性のある目的地は限られており、ユーザに少数の目的地選択を提供することができる。ローカルの交通手段がユーザを多数のロケーションに導きうる場合、ユーザは、ロケーションを入力するようプロンプトされる及び／又は手動で入力できる。例えば、本願に記載するようにユーザに配信される「使用条件」ページ（図１Ｌ、図３、図７等及びその関連説明を参照）の一部として、当該の目的地を入力するようユーザに聞くオプションを追加できる。更に、ユーザは目的地に到着するという前提で、到着前にユーザのロケーションを予め仮定できる。現在のネットワークは、（現在及び予想されるロケーションに基づいて）、（これまでと同様に）現在のロケーション、（計画に基づいた）新しいロケーション、又は両方（例えば、特に、ユーザが、決定する前に両方のロケーションでの特定のサービスの利用可能性を比較したい場合）についての情報を配信できるようになる。
【００７５】
変化するロケーション情報の処理の１つの具体例を、ユーザが駅で電車に乗り込むという簡単な例を使って説明する。この例では、例えば、乗客が電車を下車できる目的地が１５個あるとする。更に、収集及び／又は確認された他のデータに依存して、ネットワークは、交通手段及び移動に関係のある事項に関連する相当の追加情報を決定できる。例えば、一日のうちの時刻に依存して、ネットワークは、電車が各駅停車であるか急行であるか決定できる。これにより、ネットワークは、ユーザの移動に関連する関心の地理的又は時間的な状況についてユーザにプロンプト又はリマインドできる。例えば、ネットワークは、ユーザが下車すべき大体の時間を計算（又は、到着地に近づくにつれ実際の時間を決定）し、適宜ユーザにリマインドしうる。
【００７６】
更に、ネットワークは、ローカルの広告主（例えば、駅から数ブロック圏内のレストラン、両方の目的地におけるローカルの劇場）にアクセスして、例えば、ＷｉＦｉ、ＷｉＭＡＸ、ＤＳＬ、ケーブル、ＩＰＴＶ等、駅のホットストップの特定のネットワークにおいて提供されるが特定のユーザに向けられる広告を後援しうる。本発明により提供されるデータに基づいて、これらの広告は、ユーザが向かう場所、その夜取りうる行動等に対して合わせられうる。例えば、ネットワークは、ユーザに到着する市を問合せ／決定すると、例えば、ユーザの到着時間に合う活動といったユーザに適しているイベント、広告等のタイプを決定できる。このネットワーク及び情報のデータベースを使用して、ユーザは、例えば、ローカルの旅行及びイベント、目的地に関する食べ物等の現在のユーザの必要性に関連する商品及びサービスをより容易に検索し見つけることができる。
【００７７】
本発明のロケーションに基づいた追加利点の別の具体例は、ＲＦＩＤ（無線周波数識別）、及び／又は、人材インベントリ及びリソース情報処理のコンテキストにおいて説明し、例えば、緊急事態対応といった分野において有利に実施可能である。緊急事態対応では、劇場内の任意の又は全ての緊急事態対応者は、救命できない場合はあるが重要な役割を果たすことができるので、各対応者の様々な機器及びスキルに関する知識は非常に貴重である。従って、そのような人材、彼らが有するスキル及び緊急時に利用可能な機器を彼らのロケーションに関連付けて、能力／機能を統合することが非常に必要とされる。緊急時にユーザが持っているデバイスを（ＲＦＩＤを使用して）特定する能力と連携して、本発明のシステム及び方法は、救命に必要不可欠な情報を収集し、必要な対象に向けることができる。具体的には、本発明は、本願に開示するように、全てのロケーション中心及び他の関連コンテキスト情報を収集し、この情報を緊急事態対応時に情報受取者に合わせ、次に、緊急事態対応者と、支援を求める対象である被対応者の両方に適切な指令及び命令を中継及び／又は配信することで情報の的を絞る。全体的な統御及び情報普及の制御のための地理的なグリッドコンピューティングアプローチを含む、地理的に離れたロケーションにおける多数の専門家によって地域的及び大域的なシナリオを組織化することもできる。例えば、異なるロケーションからの３人の人材に、例えば、必要な特定の機器部品を得る目的で協力するよう指示可できる。
【００７８】
ＭＡＣアドレスといった識別子情報が早期のルータ段においてドロップされる既知のシステム及び方法とは対照的に、本発明のある実施形態は、例えば、図１Ｆに示すように、ネットワーク処理及び情報配信の全ての段階に亘って識別子又は一意識別子の情報を使用する。本発明のテクノロジでは、ＭＡＣ／ＵＩＤといった識別子又は一意識別子の情報は収集され、エンジンサーバ及び関連付けられるデータベースに送信され、処理及び再送信される。本発明のシステム、サーバ、及びソフトウェアは、その匿名性のユーザ実施形態の観点で、データの重要な部分を所望するネットワークの動作主（actor）にＭＡＣ／ＵＩＤが付加する価値に負の影響を与えることなく、明確なフォーマットではないＭＡＣ／ＵＩＤに容易にアクセス、使用、及び処理を行うこともできる。従って、暗号化された、符号化された、破損した、又は、指定のフォーマットにないＭＡＣ／ＵＩＤは、本発明のシステムによって「動的」と同じように取り扱われる。例えば、残りのデータの関連付け及び情報処理のステップの全ては変わらないままで、明確ではないＭＡＣ／ＵＩＤに応じた一意識別子を割り当てできる。更に、不明確なＭＡＣ／ＵＩＤに合わせられた重要な又は基本のデータも生成して使用することができる。また、本発明のシステム及びソフトウェアは、発信される一意識別子情報を暗号化して、そのデータの送信を密かに知っている他者が本発明の通信及びプロトコルからＭＡＣ／ＵＩＤをリバースエンジニアリングできないようにすることができる。
【００７９】
図１Ｇは、本発明の１つ以上の実施形態による、例示的な情報の処理及び配信を説明する図である。図１Ｇは、識別子、ＭＡＣ／ＵＩＤを含む一意識別子、及び、他のロケーション又はデバイスに固有の情報を、本発明の１つの例示的なインプリメンテーションにより処理する方法を説明する。しかし、ＭＡＣ／ＵＩＤは、本発明において利用可能であり且つ使用される唯一のロケーション識別子ではない。本発明のシステムは、ＬＡＴ／ＬＯＮＧ（緯度及び経度情報）を取得できる、又は、このデータは、特定の現在のワイヤレスメッシュネットワークシステムによって、本発明のシステムに対して解析され、次に、ロケーション処理アルゴリズムに組み込まれる。本発明のネットワーク接続にインプリントを有する他のワイヤレス又はＷｉＦｉ、ＷｉＭＡＸ、ＤＳＬ、ケーブル、ＩＰＴＶ等のデバイスといった、ユーザに関連付けられる他のデバイス又はデータ点は評価され、それらの信号及びロケーションは、本発明のロケーション解析（及び全ての他の情報処理及び配信）に統合されうる。更に、図１Ｇの左上部分に示すように、デバイス及び／又はユーザのオペレーティングシステム（「ＯＳ」）及び好適な言語も、ＭＡＣ／ＵＩＤアドレスがあっても又はなくても容易に収集できる。この情報は、ユーザによる任意のタイプの許可又はネットワークエントリの前に、本発明のマイニングソフトウェアによって収集される。つまり、この情報は、ＭＡＣ／ＵＩＤアドレスと同様の方法で取得される。
【００８０】
図１Ｈは、従来のローカルでの情報格納及び処理を説明する。このようなシステムでは、例えば、ユーザに関してキャッシュされた情報は、１つの又は幾つかの地理的に限定されたデータベース内に単純に保持される。これは、そのような情報にすぐアクセスしまた使用する必要がある場合、深刻な問題となる。
【００８１】
図１Ｉは、本発明の１つ以上の実施形態による、一部の例示的なグローバルでの情報格納及び送信を説明する。本発明の実施形態によるシステム及び方法は、世界中で、デバイスに関連付けられる情報及びデータ、及び、様々な関連付けられるプロファイルをキャッシュする。
【００８２】
本発明の一意識別子の処理は、多種類のシステム及びソフトウェア環境において有用である。上述のハードウェア実装されたシステムのコンテキストにおいて大部分を説明したが、本発明の重要なアスペクトは、ブラウザ及び関連するクッキーエミュレーティング機能へのインプリメンテーションのようにソフトウェアアプリケーションにも統合される。このようなブラウザアプリケーションでは、内蔵された証明書メカニズムが使用される場合、クッキーエミュレーティング機能は更に、クッキーの代わりに証明書を使用できる。
【００８３】
広告宣伝に関連した実施形態に戻るに、広告宣伝の契約は、データベースシステムと連動する規則に基づいたアプローチを使用することで、部分的に遂行されうる。図１Ｊ及び図１Ｋは、そのような広告宣伝／ビジネス方法に対する一部のアプローチを説明する。このアプローチでは、図面に詳述するように、プラットホームのフィードバック及び解析によって、非常に効率のよい且つ指向性のある広告宣伝キャンペーンが可能となる。図１Ｊは、本発明による方法の実施形態を説明するフロー図を示すが同時に、本発明の方法を、従来の広告宣伝方法と対照させている。図１Ａ及び図１Ｂに関連して説明したように、広告エンジンは、現在のロケーション、ロケーションに関連するコンテンツ、ユーザのロケーション履歴、ユーザのブラウジング履歴、マシンのアドレスコード（「ＭＡＣ」）、他の一意の識別（「ＵＩＤ」）アドレスに関連する情報、及び／又は、他のメトリクスに関連するコンピューティングデバイスについての情報に関する既知の又は収集された情報を使用して、広告主が配信コンテンツに関する決定を行うことを支援する。更に、ある実施形態では、クーポン又は他のインタラクティブ型広告とのユーザのインタラクションをモニタリングして、特定のオファー（又はオファーがないこと）に対するユーザの受容性に基づいてコンテンツを変更しうる。一方、図１Ｊに示すように、従来の広告宣伝方法は、サイトに訪れた人についての大まかな人口統計学的データによる仮定に基づいてエンドユーザに無作為に広告宣伝することに依存し、ユーザのフィードバックに基づいて広告コンテンツをリアルタイムでインタラクティブに変更するメカニズムは提供しない。
【００８４】
図１Ｋは、本発明の実施形態によるターゲットを絞ったコンテンツの配信システム用の１つの動作モードを説明する。図１Ｋに示すように、ここで説明するネットワークは、公的に利用可能なＷｉＦｉ、ＷｉＭＡＸ、ＤＳＬ、ケーブル、ＩＰＴＶ等のネットワークに関連付けられる。本発明の実施形態では、ユーザが、ＷｉＦｉ、ＷｉＭＡＸ、ＤＳＬ、ケーブル、ＩＰＴＶ等のネットワークにサインオンすると、そのイベントは、ＡＰサーバ又は本発明の他のエレメントによって検出される。ユーザに関連する情報及びローカル情報が、ＵＮエンジンサーバ又はネットワークにキャッシュされたイメージからダウンロードされ、この情報は処理されて、トランザクション／トレーディング・マネジャを使用してユーザがいるロケーションに限定されたターゲットを絞ったコンテンツが配信される。
【００８５】
このロケーションが限定されたターゲッティングは更に、小売店のロケーションといったように任意の適用可能なビジネスエンティティ内に置かれるストック及びインベントリ管理システムに統合できる。このような方法は、例えば、ロケーションが限定されたターゲティングをリアルタイムのストック及びインベントリ管理システムと統合して、無線及び有線アクセスネットワークに対して、リアルタイムでロケーションが限定され、ターゲットを絞った広告宣伝方法を提供する。（本実施形態は、リアルタイムでストック及びインベントリを管理できる小売店に関連して説明するが、この実施形態は、ビジネスエンティティ又は小売業者がインベントリを把握している消費者主導型の任意の管理体制に適用できる。）経営を最適化するよう大々的にリアルタイムのストック及びインベントリ管理を実施した小売店でも、ある主のストックの小売又はストックに関連する問題にぶつかる。例えば、しばしば、店の実際の売上には変動がありうる。これは、商品の広告、販売、及び再仕入れのサイクルの細かい調整は、数日又はそれより長いサイクルに委ねられることを意味する。しかし、広告主は、具体的に、インベントリが過剰であることによってトリガされ且つ特定の小売店の管轄区域内の個人だけに的を絞ったローカル広告を生成できれば、広告、販売、ストック／インベントリ管理のプロセス全体をより綿密に管理できる。これは、新型の「お買い得品（blue-light special）」と呼べるようなリアルタイムのインベントリ管理方法であり、また、広告宣伝できる範囲は、小売店内より広く、小売店の特定のロケーション及び人口統計学的データに基づいた範囲に及ぶ。この結果、ビジネスの利益として、小売業者が、ストック及びインベントリをより良く管理でき、同時に、在庫過剰の場合に、プロモーション、クーポン、販売奨励金等を使用して商品を販売促進することで顧客に商品を提供することを保証できるようになる。従って、本願に説明したロケーションが限定されたターゲッティングは、小売サイクルの正確且つ非常に綿密な管理を可能にする。
【００８６】
図１Ａのシステムの実施形態は更に、プロファイルエンジンを含むことができる。このプロファイルエンジンは、ＭＡＣ／ＵＩＤを処理する機能を含む（時に、ＭＡＣ／ＵＩＤプロファイル又はＭＡＣ／ＵＩＤアルゴリズムエンジンと呼ばれる）。１つ以上の実施形態では、プロファイルエンジンは、調査質問及び／又は回答とともに、ネットワーク（例えば、フリーインターネットゾーン内）に接続した回数及びロケーションに基づいてＭＡＣ／ＵＩＤをプロファイリングするよう設計されるアルゴリズムを有するシステムである。この情報は、プロセッサ内で相関させられ、重み付けされたインクリメント数が与えられ、次にプロファイルバケツ内に入れられる。ユーザが、インターネットへのアクセスを要求すると、ＭＡＣ／ＵＩＤプロファイルＩＤは、ロケーションタグと関連付けられることが可能である。この情報と関連付けられた要求は、そのロケーションの適切なスポンサーとマッチングされることが可能である。
【００８７】
調査質問及び／又は回答は、様々な方法によって得られる。１つ以上の実施形態では、この情報は、図１Ｌに例示的且つ非限定的に示すユーザ入力インタラクティブ調査／嗜好ボタンによって収集できる。図１Ｌには幾つかの例示的なボタンを示すが、多くの異なる色、テクスチャ、音声ヒント、ロールオーバ機能等を、ここに示す基本的な構造を前提として使用してもよい。
【００８８】
ネットワークに接続するための現在及び従来の方法では、「同意する」ボタンをクリックすることで使用条件を承諾する。これは、ネットワークに入るためにユーザによって行われる単一の動作である（例えば、インターフェイス上の単一ボタンを選択する）。図１Ｌの実施形態は、その単純な動作を、ネットワークの使用条件の単なる承諾に加えて、調査／嗜好回答動作に変換する。従って、従来の調査形式（即ち、１から５の５段階評価、又は、（ＳＡＴテストのような）択一選択式）を使用するのではなく、この概念の実施形態は、単純な「１ボタン」を使用する。この「１ボタン」で、ユーザは、自分の嗜好を提示するか又は簡単な質問に答えるよう促される。選択の結果、ネットワークに接続され、また、ネットワーク内の調査ソースに情報が送信される。クリック動作による１つの結果は、使用条件の承諾であり、これは、ネットワーク内のアクセス許可サーバによって管理される。クリック動作によるもう１つの結果は、調査への回答であり、この情報は、ユーザのプロファイル内に格納され、また、ネットワークに接続又は再接続するユーザの統計データを収集する目的で使用される。
【００８９】
従って、ユーザプロファイルは、その個別のユーザの調査情報で充実され、例えば、推論エンジンを使用して将来のセッションにおいて適切なコンテンツのターゲットを絞るために使用して、ユーザによって示された嗜好に基づいて適切なコンテンツを配信する。調査から収集されたデータを使用することで特定の広告主を惹きつけ、それにより、広告主のターゲッティング及び人口統計学データ収集ツールを向上させる。１つの調査からのユーザプロファイルは、前のユーザ調査データと組み合わされて、そのユーザの人口統計学的データを連続的に充実させ、それにより、ユーザのニーズの要件及び特定のコンテンツ／コンテキストに的を絞る能力を向上させる。
【００９０】
後続の調査において（例えば、ユーザが３回以上調査に回答した後）、そのような調査機能の実施形態は、ユーザが前の調査データを「リセット」できるようにするオプションを提供することもできる。これは非常に強力なツールである。従って、ユーザが「記録を削除」することを望み、新しい嗜好及びエクスペリエンスのセットを試みたい場合、ユーザは、それらを行うことができる。この機能は、ユーザに毎回提示されても、又は、特定回数の調査後に提示されてもよい。この機能は、例えば、新しい調査分類が開発されて、古い／蓄積されたデータではなく最初から行うことで最良の情報が得られる場合といった、他の特殊な状況でも提示されうる。１つ以上の実施形態における調査エンジンは更に、全く同一の調査が同一のユーザに２回以上決して提示されない、また、情報が繰り返されないことを保証できる。
【００９１】
関連及び有用なコンテンツが、プロファイリングエンジンを使用することでローカルに提供されるのと同様に、行われるべき調査のインベントリも動的に管理され、また、多くの異なるエンティティによって後援され、また、ロケーション及びコンテキストに応じて提供されうる。そのような場合、調査は、時間、場所、ロケーション等に的が絞られ、必ずしも一人の特定のユーザに的が絞られるわけではない。このような機能は、例えば、特定のロケーションにおける収集されたコミュニティの「雰囲気」をつかむために使用できる。調査は、複数のロケーションにおける同様の人口集団に対して行われうる（例えば、特定の日に、アルゼンチン対ブラジルのサッカーの試合の予想される勝者、又は、音楽又は映画スターの人気についてヒスパニック系の人口集団の嗜好について調査できる）。
【００９２】
ある実施形態によるＭＡＣ／ＵＩＤプロファイルエンジンの別の利点は、同じネットワークからの各ユーザに対して、ロケーションが限定された情報／広告宣伝、又は、特定のサービスのための独自のターゲットを提供できることである。本発明の１つ以上の実施形態による、ＭＡＣ／ＵＩＤプロファイルエンジンをインプリメントすることの更なる利点は、ネットワーク使用量を収集することであり、これにより、システムにおいて、最も効率よくアクセスポイントをデプロイできるようになる。１つ以上の実施形態における追加の利点は、より有効に利用できるようアクセスポイントを動かす必要があることを判断できるようになることである。これは、本願に記載するインターネットアクセス方法／経済を強化することを支援する。更なる利点は、１ゾーンあたりのトレンド率（trend rates per zone）を決定する機能である。これは、ローカルの地域の広告主にとっては価値がある。ＭＡＣ／ＵＩＤエンジンは、使用時間、ＡＰロケーション、及びＭＡＣ／ＵＩＤプロファイルと共にＭＡＣ／ＵＩＤアドレスをデータベース内に登録する。
【００９３】
ある実施形態では、エンジンサーバは、中央の許可（authorization）ソフトウェアを含む。このソフトウェアは、リモートルータ又はアクセスポイントといった様々なリモートハードウェアを管理することなく、エンドユーザ用のコンテンツを受信し且つ調整することで、システムがハイブリッドのパブリックインターネットアクセスネットワークと相互運用することを可能にする。（リモートロケーションにあるルータとは対照的に）ＡＰサーバ又はＸＭＬゲートウェイを管理することで、このリモート管理され、ポイント・オブ・エントリであり、ネットワーク化され、及びターゲットを絞ったコンテンツを配信するシステムは、ほぼ問題なく既存のデプロイされたネットワークと共存できる。例えば、既存のネットワークはバンド幅制限を有するものであるが、アップダウン共に１メガバイト／秒のデータパイプを有するビジネスは、そのビジネスの場所において顧客にフリーインターネットゾーンを許可することで依然として利益を得ることを希望しうる。このような状況では、システムは、ビジネスによって使用されないネットワークのバンド幅の量が、例えば、パブリックゾーンを２５６ｋｂｐ以上７００ｋｂｐ以下に制限し、また、各ユーザを１２８ｋｂｐ以上５００ｋｂｐ以下に制限することで、ユーザに割り当てられうるよう構成されうる。ある実施形態では、エンジンサーバのサイトプロファイルは、中央でアップデートされ、それにより、ユーザから要求がくる場合に適切なバンド幅を提供できる、又は、一日のうちの時刻と、それに応じた予想される使用量に基づいてバンド幅を調節できる。ある実施形態では、バンド幅のポリシーは、認定情報速度に基づいても、又は、ビジネス関係に基づいた特定の所定の合意に対応してもよい（例えば、特定の企業の従業員である全ユーザは、ネットワークへのアクセスに対して認定情報速度が保証される、又は、自然の緊急事態といった民生の混乱時には、バンド幅は、緊急事態に対応するユーザが、一般の商用ユーザに対して優先されるアクセス、優先権、及びバンド幅割り当てを有することを確実にするよう調整できる）。
【００９４】
これらのＷｉＦｉ、ＷｉＭＡＸ、ＤＳＬ、ケーブル、ＩＰＴＶ等／ＵＮエンジンサーバの実施形態は、加入者に関する関連情報を収集及び提供する。関連情報は、例えば、商用エンティティにとって価値のある情報でありうる。また、関連情報は、既存の慣例、法律、及び／又は他の検討事項に依存してその範囲を限定することもできる。
【００９５】
ある実施形態では、トランザクション／トレーディング・マネジャは、エンドユーザに効果的なコンテンツを効率よく配信し、また、コンテンツ配信の有効性に基づいた且つコンテンツの配信の結果によるアクションから収益を生成できる。ある実施形態では、トランザクション／トレーディング・マネジャの機能は、動的でリアルタイムのロケールに関連する広告宣伝トレーディングシステムに使用されうる。従って、本発明は、ターゲットが絞られ、個人的で、インタラクティブで、ロケーションに依存するので、今までにない規模の広告宣伝テクノロジを提供する。
【００９６】
ある実施形態では、輸送前及び現場の両方でＡＰに特別な変更を加えることができる。この輸送前のボックス内のＡＰソリューション又はＡＰサーバ１２０に加えうる変更には次が含まれる。即ち、（１）ファームウェアインストール、アップロード、アップデート、アップグレード、（２）オプションとして、ファームウェアに加えてソフトウェアコード、及び（３）上述のファームウェア及びソフトウェア用の環境設定ファイル内に具現化される発明の設定。本発明の実施形態では、発明の設定には次が含まれうる。即ち、（ｉ）一意識別子（シリアル番号、名前、又はその他）、及び（ｉｉ）ＡＰサーバが起動後に「レポート」するレポート先であるネットワーク管理システムにおけるＩＰアドレス。
【００９７】
ある実施形態では、現場でのＡＰサーバ１２０に加えうる変更には次が含まれる。即ち、（１）ボックス内のＡＰソリューション又はＡＰサーバ１２０をネットワーク管理システムに追加するための、起動時の自動プロビジョニング手順。これには、（ｉ）ＡＰサーバに、登録、即ち、「サインアップ」のためにネットワーク管理システムにおけるＩＰアドレスにコンタクトすることを要求させることと、（ｉｉ）ＡＰサーバに、その一意識別子を送信させることと、及び（ｉｉｉ）新しいＡＰサーバをシステム／ネットワーク／サーバデータベースにエントリさせることを含む。（２）ボックスのロケーションに固有のセットアップに関する変更及びプロビジョン。これには、以下に記載するように、（ｉ）ＵＮエンジンサーバ１６０からＡＰサーバ１２０に情報及びデータを送信すること、（ｉｉ）新しい及び／又はアップデートされたサービス設定を含むサービス設定を供給すること、（ｉｉｉ）ユーザへの配信のための使用条件ページ、（ｉｖ）ファイアウォール及び他のセキュリティ設定、アップデート、及び構成設定、（ｖ）ポートに固有のセットアップ、及び（ｖｉ）認証／許可設定等を含む。
【００９８】
従って、本発明の実施形態は、アクセスポイント（ＡＰ）のターゲットを絞った配信ソリューションが、次が利用可能であるロケーションに輸送されうるプロセス及びプロダクトを含みうる。
・一般的にはイーサーネット（登録商標）であるが、ＤＳＬ、ケーブルモデム、Ｔ−１、Ｅ−１、又はファイバを含みうる商用ブロードバンド接続
・機器に給電するためのローカル電源
・適切なロケーション（一般的には取り付けロジスティクスを考慮して相当の自由度を有する場所であるが、書かれた又はソフトウェアの指示が与えられてアンテナが適切に位置付けられることを保証する場所）
【００９９】
他にも利点はあるが、本願に記載する一部の実施形態は、さらに、次を加入者に対して可能にする。即ち、（１）１つのロケーションをＵＮネットワークに追加するためのデプロイメントの複雑さを低減すること、（２）技術的な知識のない人でもアクセスポイントをインストールできるようインストールの容易さを増加すること、（３）ロケーション（アクセスポイント）をオンラインにする時間をスピードアップすること、（４）意思決定者（小売業者、カフェ等のベンダー）に対する望ましさ及び／又は支持を増加すること。従って、本発明の実施形態は、ロケーションの所有者（例えば、衣服店、レストラン、ハードウェアストア等の小売会社）が、迅速な輸送でＡＰソリューションを受け取り、数分間でネットワークを立ち上げ、実行できるようにする。このプラグ・アンド・プレイのセットアップは、ネットワークプロバイダが、ＡＰのターゲットを絞った配信ソリューションボックスを、例えば、一日あたり数百個の割合で配送できるようにする。これは、人員を訓練してアクセスポイントのロケーションに派遣し、アクセスポイントのロケーションあたりに多くの時間がかかることとは対照的である。このモデルはさらに、世界中のどのロケーションも対象範囲となるよう規模が大きい。これは、ＡＰサーバ１２０は、上述した適切なインフラストラクチャがある世界中のどのロケーションにも輸送できるからである。
【０１００】
本発明の実施形態では、ＡＰサーバは、ロケーションの所有者に輸送する前にロケーション及び重要な識別データを使ってソフトウェアを介して予め設定されてもよい。このような事前設定によって、ボックスは、任意のブロードバンドインターネット接続にプラグインするとシステムによって瞬時に発見される。この時点で、ボックスは、インターネットを介して管理されうる。さらに、ファームウェア及びソフトウェアのアップグレードもボックスにアップロードされうる。ロードできる情報の例としては、次が含まれる。即ち、ロケーション、一意の識別情報、チャネル及び電力設定、及び、以下により詳細に説明する他の情報。ある実施形態では、ロードされた情報は、続いてより大きいプラットホームのコンテキストにおいて使用できる。ある実施形態では、ＡＰサーバ１２０を使用するデバイスのＭＡＣ／ＵＩＤは、ネットワーク上のＡＰサーバの使用挙動を測定する生の材料を供給する。トラフィックはリモートでモニタリングできるので、ネットワーク上の負荷が、あるロケーションにおいて過度であると、追加のＡＰサーバをそのロケーションに輸送できる。それにより、ネットワークのバーチャル及びフィジカルの両面を管理できる。
【０１０１】
デプロイメントのアプローチ及びビジネス方法のある例示的な実施形態を以下に示す。第一に、ある実施形態では、小売店のロケーションといったビジネス企業の近傍でパブリックアクセスが利用可能にされる。ターゲットを絞ったコンテンツの配信方法のある実施形態では、ビジネス企業は、１つ以上のボックスをその敷地内に設置して、ビジネス企業内の業務をサポートし（例えば、建物内のストックを管理するスタッフのためのラップトップ）、また、顧客又はモバイルデバイスを有するユーザにインターネットアクセスを提供しうる。パブリックアクセスネットワークは、ターゲットを絞ったコンテンツの配信に使用されうる。第二に、広告主又はコンテンツプロバイダによるビジネス企業への物理的なアクセスがない（例えば、ビジネス企業は、行くのが難しいロケーションにある）ある実施形態では、本発明のシステムと併せて本願に記載するプラットホーム／ＵＮエンジンが、ＡＰサーバのネットワークと運用をリモート管理できる。一部のデプロイメント方法では、ビジネス関係を、市内の既存のパブリックＷｉＦｉ、ＷｉＭＡＸ、ＳＤＬ、ケーブル、ＩＰＴＶ等ネットワークプロバイダと結び、ＷｉＦｉ、ＷｉＭＡＸ、ＤＳＬ、ケーブル、ＩＰＴＶ等のサービスの提供と引き換えに、ターゲットを絞った広告宣伝又は他の商用コンテンツがエンドユーザに向けられる。
【０１０２】
アクセスポイントのターゲットを絞ったコンテンツの配信ソリューションは、様々な方法で本発明のシステム及び方法にデプロイできる。図１Ｍは、ユーザ５１０１のＦｅｅｖａネットワーク５１００へのログインに関連付けられるデータフローを示す。このデータフローでは、まず、ゲストであるか又は再度訪れたビジタであるかステータスがチェックされ（５１０３）、次に、一意ＩＤ（ＭＡＣ又は他の一意の識別子）が収集され、Ｆｅｅｖａのストアログに送信される（５８００）。ここで、一意ＩＤは、地理全体に亘っての冗長性及び速度についてオフサイトサーバ５６００及び５７００と同期される。ユーザが、ネットワークの使用条件に承諾（５２０１）後、カスタマイズ化されたランディングページが供給される（５１０５）。その後、セッション中に、ユーザは、マジック・ワードを使用して（５３００）、ｈｔｔｐアドレスバーにおいて検索を行うか又は直接ヘルプを要請することができ、これにより、Ｆｅｅｖａは、広告会社５５００とリンクされたプロモーションを有するマジックページサーバ５４００を介してローカルの小売業者へのダイレクトなリンクを提供できる。図１Ｎは、異なるロケーション５２５０における追加システムのより詳細な図を示す。
【０１０３】
図２は、本発明の１つ以上の実施形態による複数のステップ２００を有する例示的なフローチャートを示す。図２を参照するに、本発明に関連するあるアスペクトによる、情報を収集及び処理する方法を示す。図２に示すように、エンドユーザは、まず、パブリックネットワークに接続し、ウェブブラウザを起動させる（ステップ２１０）。ブラウザは、コンピューティングデバイスのデフォルトのホームページにアクセスすることは許可されず、ネットワークを介してエンジンサーバ１６０（図１Ａ参照）（「デバイス及びターゲッティング・データベース・サーバ」、即ち、「ＤＴＤサーバ」とも呼ぶ）にリダイレクトされる（ステップ２２０）。ハイパーテキストマークアップ、ＲＡＤＩＵＳアカウンティングレコード、又はバックチャネル通信（例えば、進行中のセッションへのＦｅｅｖａ  Ｔａｇのシンプルヘッダの挿入）を介しても介さなくてもよい、この最初のハンドシェイク／データ交換から開始して、ＤＴＤサーバ１６０は、ユーザプロファイルと、選択的な匿名ユーザ識別子情報を取得し、この情報をデータベースに保存し始める。この情報は、新しくても、単純に既存のプロファイルに蓄積されるものであってもよい（ステップ２３０）。プロファイルは、ＵＩＤを、個人／デバイスのプロキシとして使用することでユーザの匿名性を保護する。データベース内に格納される情報は、特に、日時情報、初期のホーム及び／又はデフォルトページ情報、サーバ又はアクセスポイントＩＰアドレス又はＩＤから得られるロケーション情報、ユーザの固有の識別子情報（例えば、ＭＡＣアドレス）、既存のユーザ／デバイス情報を交換し、及び／又は、将来の取引上の参照のためにＵＩＤによりインデキシングされる第三者情報を格納することを希望する第三者により供給可能な追加情報、及び、このときにＤＴＤサーバ１６０により取得される任意の他の情報でありうる。調査（又は単一の質問に対する回答）及びプロファイルエンジンの処理（図３に関連して以下に詳述する）の結果、各ユーザに固有の調査質問が、取得情報に基づいて生成される。次に、ＤＴＤサーバ１６０は、使用条件（Ｔ＆Ｃ）ページといった第１のデータをこれらの調査質問と共にユーザに送信する（ステップ２４０）。次に、ユーザは、調査質問に回答し、使用条件について、例えば、「同意する」ボタンを選択することで確認する（ステップ２５０）。この「同意」の受信に呼応して、ＤＴＤサーバ１６０は、ユーザのネットワーク接続を開く、又は、ネットワーク機器に命令してユーザのネットワーク接続を開くことができる（ステップ２６０）。ＤＴＤサーバ１６０は更に、調査の回答と、任意の新しい又は関連のユーザ識別子情報をデータベース内に格納する（ステップ２７０）。この新しい（例えば、調査）情報に関する追加の処理はＤＴＤサーバ１６０によって実行され、これは、図４に関連して説明する。この追加の処理に応じて、ＤＴＤサーバ１６０は、ローカルサーバ上にクライアントポートを開き（又は、ネットワークハードウェアに命令してローカルサーバ上にクライアントポートを開かせ）、ユーザを、そのユーザに対してカスタマイズされたコンポーネントを有するユーザ識別子情報により決定されるスプ���ッシュページ（ランディングページとしても知られる）にリダイレクトする（ステップ２８０）。好適なスプラッシュページが取出しされ、ネットワークキャッシュ内に格納されうる。最後に、アクセスデバイスのロケーションに応じて決定されるローカルスプラッシュページが、ユーザのブラウザに送信される（ステップ２９０）。更に、ユーザに送信されるコンテンツの全て（例えば、第１のデータ、スプラッシュページ）は、ＤＴＤサーバ１６０により判断されて、ユーザが使用するアクセスデバイスの特定のタイプに対してフォーマット化、及び／又は、インデキシングされうる。ＤＴＤにより生成される蓄積プロファイルは、当該セッション時又は後続のセッション時に将来の使用のためにアクセスできる。プロファイル情報タグ（ＵＩＤ）は、このデバイスによりアクセスされる各デスティネーション（ウェブサイト）に送信され、それにより、ＵＩＤ（汎用識別子）に固有のエンドユーザのコンテンツのカスタマイゼーションを可能にする。
【０１０４】
図３は、本発明の１つ以上の実施形態による、調査質問を含む情報を生成、送信、及び処理する方法に関する例示的な技術を示す。最初に、識別子が、識別子アルゴリズムエンジンに対して問い合わせされ、当該のユーザに対してプロファイルが存在するか否かが決定され、存在する場合には、当該ユーザが既に回答した調査質問を見つける（３１０）。ロケーション、格納されたユーザプロファイル情報、及びユーザの回答に基づいて、ＤＴＤサーバは、追加の未回答の調査質問を出すことを決定しうる。これらの決定に応じて、任意の回答されていない調査質問が、使用条件（Ｔ＆Ｃ）ページに関連付けられる。次に、ＤＴＤＳ１６０は、調査質問と共にＴ＆Ｃページを送信する（３２０）。ロケーションページも、サーバＩＤ、ロケーション、ＩＰアドレス等に応じて提供されうる（３３０）。ある実施形態では、受信した情報によって、一般的に、プロファイルエンジンは、ターゲットを絞った広告（例えば、バナー広告、リッチメディア、ビデオ、オーディオ、及び、ロケーション、ユーザプロファイル情報といったユーザ情報に合わされた他のコンテンツ）、スポンサーのロゴ、及び、第１のページ、スプラッシュページといったページを提供することができる。
【０１０５】
図４は、本発明の１つ以上の実施形態による、ＸＭＬゲートウェイ又はＲＡＤＩＵＳに基づいたインプリメンテーションが使用される場合に、情報が収集及び処理される方法に関する別の例示的な技術を示す。図４に示すように、ＤＴＤサーバのＸＭＬサービング・コンポーネントは、識別子情報（例えば、アクセスデバイスのＭＡＣアドレス及び／又はＵＩＤ）、ユーザに許可されるバンド幅、及びセッション期限といった情報を、ＤＴＤサーバに転送しうる（４１０）。次に、ＤＴＤサーバは、ローカルサーバ上でポートを開き、ブラウザを、識別子及びロケーション情報に基づいてスプラッシュページにリダイレクトする（４２０）。ＤＴＤサーバは更に、ユーザ識別子情報を取出し、スプラッシュページ及びローカル広告情報を、関連付けられたユーザプロファイルに基づいてダウンロードしうる（４３０）。ＤＴＤサーバ１６０は更に、ＸＭＬコンポーネントのポート番号にアクセスして、この「バック・ドア（back door）」技術を使用して、データを、エンドユーザ、広告主、及びコンテンツプロバイダから取得する／エンドユーザ、広告主、及びコンテンツプロバイダに供給するための別個のチャネルをインプリメントしうる。ＲＡＤＩＵＳサーバコンポーネントも、ログインファイル及び履歴といったＲＡＤＩＵＳに基づく環境に存在するＲＡＤＩＵＳレコードに基づいて、同様のデータ取得又は供給を実現しうる。しかし、本発明のある実施形態では、ＲＡＤＩＵＳテクノロジを使用することなくクライアント間のスヌーピングを阻止するイントラセルブロッキングが実現される。
【０１０６】
図５は、本発明の１つ以上の実施形態により実行される別のデータ収集機能及びレポート機能を説明する。ある実施形態では、例えば、所与のロケーションにおける新規のユーザ及びリピートユーザの数といった集約情報は、レポートエンジンによって収集されうる（５１０）。レポートエンジンは、これらの新規のユーザ及びリピートユーザの統計値を、ロケーション、地理、地域、及び他のユーザサービスの特徴に応じて解析しうる。ある実施形態では、例えば、ユーザにより使用される上位１００個のデフォルトホームページといったユーザのアクティビティ傾向リストのレポートが生成されうる（５２０）。このような傾向情報を使用して、ポテンシャルのあるウェブサイト又は広告主にターゲットを絞ることができ、それにより、ＤＴＤに関連付けられたネットワーク及びターゲットを絞ったコンテンツの配信サービスに対し収益を生成しうる。エンドユーザの個人情報を知ることなくシンプルなプロファイルを作成できるが、ユーザがネットワークにアクセスした現在のロケーション及び時刻に基づいて適切なコンテンツを最終的に提供することで十分な情報をコンパイルできる。ある実施形態は、プールＩＤ（ＰＩＤ）が作成され、ユーザプロファイルは、複数のプールに関連付けられうる。プールとは、調査結果に基づいて推測されうる高レベルの調査に基づいたグルーピングである。サブプールＩＤを更に使用して、これらのプール内のサブグループに階層関係を与えうる。収集及び／又は格納されうる他のプール関連データは、次が含まれる。即ち、識別子プロファイル（例えば、ＭＡＣプロファイル）の進化履歴を含みうるヒストリカルプロファイルプールＩＤ、ヒストリカルロケーションＩＤ及び使用カウンタ、ヒストリカル調査ＩＤ及び応答、ロケーションあたりの調査結果、及び、任意の処理コンポーネントにより管理される任意のユーザ又はプロファイル関連データを有するプール関連データの全ての他の組み合わせ。
【０１０７】
図６−１０は、本発明の１つ以上の実施形態の一部の機能を説明するフロー図である。図６−１０に示すアルゴリズムの実施形態の各ステップは、符号６０５乃至１０１０で示す。符号がそれぞれ付されたステップの説明を以下に記す。
【０１０８】
図６に示すように、ステップ６０５では、ユーザは、ワイヤレス又はイーサネット（登録商標）接続といった任意の既知のメカニズムを介してハイブリッドネットワークに接続する。アクセスデバイス（例えば、ＰＣ、ＰＤＡ、又はＷｉＦｉフォン）が、ルーティング／コネクティビティデバイス又はローカルのダイナミック・ホスト・コンフィギュレーション・プロトコル（「ＤＨＣＰ」）サーバといったネットワークデバイスからＩＰアドレスを要求する。
【０１０９】
ステップ６１０では、ＲＣＤ又はネットワークデバイスは、ＩＰアドレスをアクセスデバイスに割り当てる。次に、ＭＡＣアドレスといったアクセスデバイス識別子は、ＲＣＤ又はネットワークデバイス内に登録され、ペンディング状態にされる。この識別子（即ち、この例では、ＭＡＣアドレス）が、ネットワーク上で最初に見つけられるとき、又は、ユーザがシステムに登録するとき、ＤＴＤサーバは瞬時にプロファイルＩＤ及びデータベースレコードを、この識別子情報に基づいて作成する。
【０１１０】
ステップ６１５では、エンドユーザは、ローカルのウェブブラウザを起動させ、このブラウザは、ユーザのデフォルトのホームページへ行く最初の要求を行う。
【０１１１】
ステップ６２０では、ＲＣＤ又はネットワークデバイスは、要求をインターセプトし、その要求を、ネットワーク上のＤＴＤサーバにリダイレクトする。同時に、識別子（例えば、ここでは、ＭＡＣアドレス）、ローカルＩＰアドレス、及びオリジナルのホームページのＵＲＬを、ネットワークデバイスＩＰ及び他の特定の識別子情報と共に送信する。
【０１１２】
図７に示すように、ステップ７０５では、ＤＴＤサーバ１６０は、エンドユーザから、ローカルの使用条件（Ｔ＆Ｃ）ページの要求を受信する。この初期の交換の間、以下の例示的な情報が、ＤＴＤサーバによって獲得されて、プロファイルエンジン内に記録されうる。即ち、エンドユーザのＭＡＣアドレスといった識別子情報、ローカルＩＰアドレス、デフォルトホームページＵＲＬ、ＲＣＤ及び／又はネットワークデバイスＩＤ、ネットワークＩＰアドレス（例えば、ＲＣＤ、ネットワークデバイス等用の）、ロケーションＩＤ、コンピュータ上のローカル言語、オペレーティングシステム／デバイスに固有の情報、ネスト要求されるホームページ（Nest Requested Home Page）、調査結果、日時情報、及び、アクセスデバイス、ユーザの挙動、又は、ＲＣＤにおいて又はＲＣＤにより生成されるユーザに関する情報から得られる他の情報。
【０１１３】
ステップ７１０では、ＤＴＤサーバは、ＤＢに対してチェックして、取得した識別子が、それに関連付けられる既存のプロファイル（プロファイルＩＤ）を有するか否か確認する。ステップ７１５では、プロファイルＩＤがない場合に、識別子は、プロファイルエンジンに追加されてプロファイルＩＤが割り当てられる。
【０１１４】
ステップ７２０では、ロケーションＩＤをロケーションプロファイルデータベースに対してチェックして、プロファイルタグがオン又はオフに設定されることを確認する。識別されたユーザが既存のプロファイルを有し、全ての調査質問に対する回答がファイル上にある場合、プロファイルタグは、「オフ」に設定される。プロファイルエンジンが未回答の調査質問に対する回答を必要とする場合、プロファイルタグは、「オン」に設定される。
【０１１５】
ステップ７２５では、プロファイルタグがオフに設定される場合、ローカルのＴ＆Ｃページが、要求をしたエンドユーザのブラウザに転送される。
【０１１６】
ステップ７３０では、プロファイルタグがオンに設定される場合、ロケーションのＴ＆Ｃページは、ユーザプロファイルＩＤ及び必要な調査質問と合わされ、ＤＴＤサーバからの命令によりエンドユーザのブラウザに転送される。エンドユーザは、ＤＴＤサーバがネットワーク全体に亘って識別子をトラッキングするので、ネットワークの任意のロケーションにおいて同じ調査質問を見ることは決してない。
【０１１７】
図８に示すように、ステップ８０５では、使用条件（Ｔ＆Ｃ）を有するウェルカムページといった第１のデータが、エンドユーザに送信される。このリターンページは、デバイスのタイプ、スクリーンサイズ、及びフォーマットについて既にフォーマット化され、デバイスの機能に特別に合わせられている。
【０１１８】
ステップ８１０では、エンドユーザは、Ｔ＆Ｃページの条件に同意するか否かが問われる。調査質問も一緒に提示される場合、ユーザは次に進むには質問に回答しなければならない。
【０１１９】
ステップ８１５では、ユーザが、（使用条件に関して）「同意しない」ボタンをクリックする場合、ユーザブラウザは、ネットワークから切断することを求める終了ページにリダイレクトされる。或いは、処理コンポーネントは、フルサービスではなく部分的なサービスのウェブエキスペリエンスを供給することで「同意しない」選択に対応してもよい。例えば、ＤＴＤサーバは、ネットワーク上でのユーザの時間又はバンド幅を制限するか、又は、使用条件に同意することで与えられる優先権、トラフィック、及び／又は他の性能特性の保証に比べて低い保証を提供しうる。一部では、これらの制限は、バーチャルプライベートネットワークをブロックしながら基本のウェブブラウジングを許可し、それにより、企業ユーザといったユーザが、電子メール又はバーチャルプライベートネットワークに関連付けられる他の重要な機能を使用することを阻止することで行われうる。制限は更に、ウェブのブラウジングは依然として可能であるが、ＶｏＩＰ性能及びビデオサービスのリアルタイムストリーミングが実現可能ではない又は満足のいくものではない程度にジッタ及び／又は遅延をもたらすことで行われうる。
【０１２０】
ステップ８２０では、ユーザが「同意する」ボタンをクリックする場合、別の要求がＤＴＤサーバに送信されてユーザのペンディング状態をアクティブ状態にし、それにより、ユーザは、インターネットを自由に使うことができるようになる。これは、アクセスネットワークの使用の非制限モードであり、ユーザはインターネットの全ての特徴及び機能を使用することが許可される。しかし、アクセスは依然として、所定及び／又はリアルタイムのアクセス制御システムによって制限管理されうる。このようなモデレーション又は制御は、実際のバンド幅及び考えられる他の性能特性を決定しうる。例えば、特定の識別子は、ＶＰＮアクセスを制限するようネットワーク内で予めプログラムされる場合、特定のユーザアクセスの任意のポリシーをこの段階で実施できる。次に、ステップ８２５では、スプラッシュページがユーザに送信され、接続が開かれる。
【０１２１】
図９に示すように、ステップ９０５では、ＤＴＤサーバは、要求と要求の時間とを、関連付けられるデータベースに登録する。ステップ９１０では、要求に、調査質問に対する回答が含まれる場合、それらはプロファイルエンジンに転送される。ステップ９１５では、調査回答は、プロファイルエンジン内に当該ユーザについて既に格納されるデータに対してアップデートされる。
【０１２２】
ステップ９２０では、ＤＴＤサーバは、次に、幾つかのコマンドをネットワークデバイスに送信して、ペンディング状態をアクティブにし、識別子あたりのアップロード及びダウンロードのバンド幅速度を設定し、また、ユーザのセッションが当該ネットワークに対して期限切れとなる期限を設定する。
【０１２３】
ステップ９２５では、ユーザのロケーションＩＤがチェックされて、そのロケーションに関連付けられるスポンサーがいるか否かを確認する。ステップ９３０では、スポンサーがいない場合、一般的なローカルのスプラッシュページが要求をしたユーザに送信される。ステップ９３５では、ロケーションプロファイルデータベースに基づいてそのロケーションＩＤにスポンサーが関連付けられる場合、関連のローカルの情報を有するスプラッシュページ、及び、ユーザのプロファイルＩＤに基づいたターゲットを絞った広告がユーザに送信される。
【０１２４】
図１０に示すように、ステップ１００５では、プロファイルエンジンサーバは、データにプロファイルエンジン・アルゴリズムを行う。プロファイルエンジン・アルゴリズムは、スケール値カウンタに基づき、値は、識別子又はＭＡＣアドレス及び／又はＵＩＤの各インタラクションに対して与えられる（例えば、ＭＡＣアドレス及び／又はＵＩＤは、ネットワークを使用した回数に基づきプロファイリングされうる、又は、ＭＡＣアドレス及び／又はＵＩＤは、回答がえられた調査質問に基づいてプロファイリングされうる）。プロファイルエンジンは、識別子を使用してプロファイルを作成する際に、更に、その情報を、関連付けられるビットバケツ内に入れる。次に、要求は、バラの関連付けられるビットバケツとペアにされ、スポンサー広告プロファイルにマッピングされる。最後に、各ロケーションに対して各スポンサーが関連付けられる。成果物は、ステップ１０１０にて、プロファイルエンジン・デポジトリサーバ内に格納される。
【０１２５】
エンジンは、情報の収集／配信及びプロファイリングといった様々なデータ処理演算を実行する解析コンポーネントを含む。ある実施形態では、データを収集／取込みし、関連情報をユーザに分配する方法が開示される。この方法は、（ａ）ビジネスパートナーを含むシステムをインプリメントすることと、（ｂ）エンドユーザＭＡＣ／ＵＩＤ、ローカルＩＰアドレス、デフォルトホームページＵＲＬ、ネットワークデバイスＩＤ、ネットワークＩＰアドレス、ロケーションＩＤ、コンピュータ上のローカル言語、オペレーティングシステム／デバイスに固有の情報、ネスト要求されるホームページ、調査結果、日時情報、及び、コンピューティングデバイス、ユーザの挙動から得られる他の情報、又は、アクセスポイントにおいて又はアクセスポイントにより生成される情報といったＭＡＣ／ＵＩＤ及びロケーション情報（及び、オプションとして、調査情報）を含むローデータ（ＲＡＷ  ＤＡＴＡ）を取得すること、（ｃ）ロケーション、一日のうちの時刻、及び頻度から形成されるプロファイルを、各ＭＡＣ／ＵＩＤに基づいて作成することと、（ｄ）１つ以上のＭＡＣ／ＵＩＤのそれぞれに関連付けられるプロファイルＩＤを作成することと、（ｅ）プロファイルグループを作成することと、（ｆ）ＭＡＣ／ＵＩＤをプロファイルグループに関連付けることと、（ｇ）プロファイルグループを、ビジネスパートナーのデータ／情報／プロダクトの所望のオーディエンスと比較することとを含み、解析の結果に基づいて、ビジネスパートナーによって供給されるターゲット情報を関連付け、ネットワーク又はシステムを介して回答をユーザに配信する。
【０１２６】
図１１は、本発明のある実施形態による、オンライン広告宣伝のインプリメンテーションに関する様々なビジネス方法／モデルの検討事項を示すチャートである。このチャートは、広告主によって消費者に供給されるマルチメディアコンテンツがゆっくりと選定される様子を詳述し、消費者をターゲットにする際の問題と、ウェブサイト又はサイト群に対し広告宣伝に基づいた収益モデルを考案する際にウェブサイトが考慮すべき広告主に関連する検討事項を特定する。チャートは、コンテンツリッチのメディアは、エンドユーザの注目をより惹きつける可能性を有することを示す。しかし、コンテンツリッチのマルチメディアコンテンツは、ウェブサイトにより行われる無作為的な広告宣伝方法では実施可能ではないバンド幅を必要とする。
【０１２７】
図１２は、従来のウェブベースの広告宣伝方法を示す。図１２に示すように、ウェブサイトは、図１４に示すような制限された広告インベントリから選択し、また、広告サーバに供給される大まかな人口統計学的データ又はクッキーに基づく情報に基づいてユーザのブラウザに表示される広告を選ぶ。
【０１２８】
図１３は、本発明の実施形態によるターゲットを絞った広告宣伝方法を示す。図１３に示すように、この実施形態では、広告サーバは、ネットワーク運用センター（ＮＯＣ）により供給される情報を有する。ＮＯＣにおいて、エンジンサーバは、データベースを読出しして、プロファイル情報を獲得し、また、ＡＰサーバにより供給されるロケーション中心情報に関する情報を解析する。この情報は、パッケージ化され、広告サーバに供給されうる。広告サーバは、このパッケージ化された情報を使用して、解析されたプロファイル及びロケーション情報に基づいてエンドユーザをターゲットとした広告を選択する。ターゲットを絞った広告は、図１２に示すように、「ローカルのターゲットを絞った広告」という見出しでエンドユーザに供給される。
【０１２９】
図１４は、従来のウェブベースの広告宣伝方法を使用するサイトでの現在の広告インベントリを示す。各ユーザに複数の広告を供給しなければならないという事実を考えるに、バンド幅、サイトにおいてユーザが費やす時間、及び他の検討事項によって、ウェブサイトの広告インベントリには数個の広告しかない。これらの広告は、応答が得られるかもしれないという淡い期待のもとにユーザの画面上に繰返し表示される。実際、ユーザに対して表示されうるインベントリが制限されるので、一部のサイトでは、広告スペースが何年先も売却済みである。従って、サイト運営者は、追加の収益を得ることが阻まれ、現在行われる広告宣伝方法の変化の妨げになっている。
【０１３０】
従って、本発明の実施形態による以下の方法を採用することで、サイトにおける広告インベントリは増えるであろう。広告のターゲットを絞った配信によって、サイト運営者は、より多くの広告インベントリを表示できるようになる。これは、ターゲットを絞った広告宣伝は、より高いクリックスルー率又はユーザ回答をもたらし、サイト運営者には、広告が同じ回数表示されてもより多くの収益がもたらされる。更に、広告主も恩恵を得られる。これは、広告を見せられたユーザが実際に潜在顧客となる可能性が高いからである。本発明の実施形態による方法を採用することで、サイト運営者の収益動向が実質的に増加しうる。
【０１３１】
図１５−２０は、本発明の１つ以上の実施形態による、ネットワークの運用及び情報（ＭＡＣ／ＵＩＤ）の処理方法を実施するシステムを示す。
【０１３２】
図２１は、本発明の１つ以上の実施形態による、プロファイルにタグ付けするイネーブラのシステム及び／又は方法を示す。図２２は、本発明の１つ以上の実施形態による、通信事業者ネットワークと統合するためのシステム及び／又は方法を示す。これらのシステム及び方法の１つ以上の実施形態は、ウェブサーファー／ユーザに関する永続のグローバル一意識別子（persistent-globally-unique-identifier）を、要求毎に、インターネットのデスティネーションに通信する処理に関する。これらの実施形態では、ウェブサーファーに関連付けられる永続のグローバル一意識別子（永続ＧＵＩＤ）を、インターネットのデスティネーションに通信する方法が開示される。ＩＤの永続性と、セッション毎のＩＤの任意のインターネットのデスティネーションへの通信は、このようなソリューションの重要で独自の事柄である。永続ＧＵＩＤは、ユーザデバイスの一意のハードウェアアドレスに基づき、従来のＨＴＴＰヘッダパッケージの１つのエレメントとしてインターネットのデスティネーションに通信される。インターネットのデスティネーションは、次に、これら（永続ＧＵＩＤ）を使用して、そのインターネットのリアルエステートのカスタマイゼーション及びパーソナライゼーションを行うことができる。永続ＧＵＩＤを通信するこのような例示的なプロセスは、以下のステップに分けることができる。即ち、（１）ユーザデバイスのハードウェアアドレスを特定し、それに基づいて永続ＧＵＩＤを作成することと、（２）ユーザにより要求が出されるたびに、この永続ＧＵＩＤをＨＴＴＰヘッダ内に挿入すること。これは、参加するアクセスネットワーク上に特別なソフトウェア／ハードウェアをインストールすることが必要となる。更に、（３）インターネットのデスティネーションに、標準の容易に使用できるツールを供給して、ウェブ要求を受信する際にＨＴＴＰヘッダ内に永続ＧＵＩＤが検出されるとそれらを解読することと、（４）これらの永続ＧＵＩＤの中央レポジトリ（分散されてもよい）を管理して、デスティネーションが、有用と思われる情報の検索及びデポジットを行うことを可能にする。
【０１３３】
本発明の実施形態は、ロケーション中心のデータとユーザプロファイルデータを組み合わせるテクノロジと方法を使用して、嗜好を特定及び提案し、また、コンテンツをユーザに配信するビジネス方法に関する。更に、この方法の実施形態は、コンテンツプロバイダが、特定の情報が配信された頻度及びロケーションを正確に測定することを可能にする。その結果、コンテンツプロバイダは、特定のコンテンツクラスの有効性を正確に判断し、所望の人口構造に応じて言語、フォーマット（例えば、色、ビデオ、画像、オーディオ）等のコンテンツをカスタマイズできる。
【０１３４】
本発明の実施形態は更に、人口統計学的には似ているが地理的には分散したコミュニティの作成及び／又は特定を可能にし、また、これらのコミュニティにターゲットを絞ったコンテンツの配信できるようにするビジネス方法に関する。
【０１３５】
ある実施形態では、ＡＰサーバは、（１）プロセッサと、（２）設定コンポーネント／モジュールと、（３）処理ソフトウェアと、（４）適切なメモリ、記憶装置、ネットワーキング機能、及び関連付けられる周辺機器を含みうる。これらのエレメントは全て一体にされても分散されてもよい。
【０１３６】
アクセスポイントの設定コンポーネント／モジュールは、インプリメンテーションの前にアップロードされたセットアップ設定情報を含む設定モジュールであってよく、セットアップ設定情報は、ホームページのリダイレクション情報、ＸＭＬイネーブルされたインターフェイス情報、及び、パラメータパッシング情報を有するポータルリダイレクトを含む。
【０１３７】
アクセスポイントの処理ソフトウェアは、リダイレクション手順／ルーチンを含むことができ、処理ソフトウェアは、以下のステップをプロセッサに実行するよう命令する命令プログラムを含む。即ち、
−ローカルデータ（ＬＯＣＡＬ  ＤＡＴＡ）を含む、ネットワークへのアクセスに関するユーザからの要求を中継するステップ。
−要求に呼応して、サーバから許可／Ｔ＆Ｃページを受け取り、このページをユーザに渡す／供給するステップ。このページのうち、１つ以上の最初のウェブページは、ローカルデータに応じて処理ソフトウェアによって決定される情報を含む。
−ユーザが、Ｔ＆Ｃに同意するとそのユーザのための接続を開くステップ。ユーザは、アクセスデバイスによるローカルデータ（ロケーション及びユーザのＭＡＣ／ＵＩＤに一意である）の供給に関連付けられて管理サーバに接続され、また、ローカルデータに基づいた独自のコンテンツの使用の許可及び供給が可能にされる。
【０１３８】
本発明のある実施形態による更なるシステム及び方法のインプリメンテーションを以下に説明する。これらのインプリメンテーションは、例えば、ＵＮエンジンサーバをインプレメントすることと、アクセスデバイスをネットワーク内にデプロイすることと、パブリックアクセスネットワークの使用の許可を要求すること（ユーザの一意の識別情報を許可要求と共に送信することを含む）と、スポンサー情報（例えば、メディア）、アクセスデバイスのロケーションに基づいた関連情報、及び／又は、ネットワークを使用するための使用条件を有するスプラッシュページを含むデータ（このデータは、ユーザの一意の識別情報に応じて処理ソフトウェアにより決定される）を送信することと、その特定のユーザに対して接続を開く命令を送信することにより特徴付けられるシステム及び方法において有用である。
【０１３９】
上述したワイヤレスのインプリメンテーションに関して、本発明の実施形態は、ダイレクトアクセス、ロケーション、トラフィック管理、及びネットワーク運用に関する利点を提供する。ダイレクトアクセスに関して、本発明は、顧客にダイレクトに接続し、コンテンツの配信において第三者の介入をなくして、使用権の取得者、加入者、又はベンダーが、顧客との各コミュニケーション（例えば、ページ、フラッシュページ、検索）の開始点となることを可能にする。ロケーションに関して、本発明は、顧客のロケーションを正確に把握することで、広告関連情報及び他のコンテンツに対し相当に大きい価値を与える。換言すれば、顧客に関して的が絞られたカプセル化された情報は、方向性が付けられた広告及び他のコミュニケーションを望む広告主にはより価値がある。トラフィックの検討事項に関して、本願に記載したコスト算定方法はより大きいアクセシビリティを供給する。コストは、相当な競争上の障害となる。特に、本発明の方法のある実施形態は、エンドユーザに無料のインターネットアクセスを与えることを可能にする。従って、トラフィックを最大にする観点から、これらの実施形態は、次のようなネットワークでは有利である。即ち、（１）通信事業者クラスのネットワーク、（２）ログオンが簡単であるネットワーク、及び（３）ユビキタスネットワーク。最後に、ネットワーク運用に関して、本方法は、本願に記載するような性質の顧客情報にアクセスするためにかかる設備コストは比較的低く、また、本願に記載するような規模及び品質のネットワークのインプリメンテーション及び／又は管理に関連付けられる費用を回避できる。
【０１４０】
本発明の実施形態を説明する、本願に記載したテクノロジは、ＷｉＦｉ、ＷｉＭＡＸ、ＤＳＬ、ケーブル、ＩＰＴＶ等のネットワークの運用、及び、ＷｉＦｉ、ＷｉＭＡＸ、ＤＳＬ、ケーブル、ＩＰＴＶ等のテクノロジのデプロイメント及びプロビジョニングに密接に関連付けられる組織に適用できる。本発明の実施形態によるシステム及び方法は、ネットワークの管理及び運用、データの収集及び集約、ユーザの人口統計学的情報、ロケーション情報、及び他の情報のリアルタイムの供給、及び、ＷｉＦｉ、ＷｉＭＡＸ、ＤＳＬ、ケーブル、ＩＰＴＶ等ネットワークの使用量に関するレポート（例えば、リアルタイムでのサマリ又は集約統計値）の分野において多数の利点を提供する。記載したＷｉＦｉ、ＷｉＭＡＸ、ＤＳＬ、ケーブル、ＩＰＴＶ等の実施形態は、サービスプロバイダ、ポータル、及びインターネット広告インターメディアリに対して特定の適用性を有しうる。
【０１４１】
例えば、本発明の実施形態によるシステム及び方法は、ボイスオーバＩＰ（「ＶｏＩＰ」）インターネット電話会社といったサービスプロバイダに、ログイン時に電話機の認証／許可、統計のための呼のロギング及びビリング、ネットワーク管理（例えば、バンド幅、ポート）、及び、セキュリティ管理（例えば、ファイアウォール、望ましくない第三者の排除）といった独自の利点を提供する。本発明の実施形態は更に、ポータルに、即時的で方向性が付けられた広告宣伝を可能にするリアルタイムのユーザの人口統計学的情報及びロケーション情報といった顕著な利点を提供する。本発明の実施形態は更に、インターネット広告インターメディアリに、ウェブページ上に広告（例えば、バナー）が表示される、多階層のサービスプロバイダの全てに適用可能である情報管理といった顕著な利点を提供する。
【０１４２】
本発明のシステム及び方法の実施形態は更に、アクセスデバイスが、アクセスデバイスに戻されたＸＭＬ／スクリプティングコマンドといった命令を管理サーバから受信するインプリメンテーションを含みうる。
【０１４３】
本発明のシステム及び方法の実施形態は更に、ローカルデータとアナリティクスエンジン内に蓄積された他のデータとに応じてカスタマイズされたページを含む、カスタマイズされたウェブページ及びスプラッシュページの分配を含みうる。
【０１４４】
本発明のシステム及び方法の実施形態は更に、データの送信の一部として、初期ページ、スプラッシュページ、ホームページ、使用条件ページ、同意ページ、第１のページ、及び／又は他のページのようなページを供給することを含み、ページの任意の組み合わせは、ページの送信を最小限にする、広告又は他の所望材料を提示する、特定の使用に的を絞った情報を供給する、及び／又は、記載した任意の他のユーザインタラクションを論理的な順序で行うといった様々な目的を達成するよう供給されうる。
【０１４５】
本発明のシステム及び方法の実施形態は更に、送信ステップの一部として、ＵＮエンジンサーバから関連データを直接送信することを含みうる。
【０１４６】
本発明のシステム及び方法の実施形態は更に、送信ステップの一部として、接続のためのバンド幅及び／又は期限に関する命令を送信することを含みうる。
【０１４７】
本発明のシステム及び方法の実施形態は更に、一意の識別情報の少なくとも一部として、ＭＡＣアドレスを含みうる。
【０１４８】
本発明のシステム及び方法の実施形態は更に、ユーザの一意の識別情報の少なくとも一部として、アクセスデバイスＩＤを含みうる。
【０１４９】
本発明のシステム及び方法の実施形態は更に、ユーザの一意の識別情報の少なくとも一部として、地理的情報を含みうる。
【０１５０】
本発明のシステム及び方法の実施形態は更に、ＲＡＤＩＵＳテクノロジ（ユーザのデバイス上のトンネル／クライアントソフトウェア）を使用することなく、パブリックアクセスネットワークを使用する許可を処理することを含みうる。
【０１５１】
本発明のシステム及び方法の実施形態は更に、ＲＡＤＩＵＳテクノロジを使用して、パブリックアクセスネットワークを使用する許可を処理することを含みうる。
【０１５２】
本発明のシステム及び方法の実施形態は更に、例えば、緯度／緯度、住所、郵便番号、又は任意の同様のロケーション情報といったユーザの地理的ロケーションをリアルタイムで通知することを含みうる。
【０１５３】
本発明のシステム及び方法の実施形態は更に、使用頻度及び使用パターン、セッションの長さ、ユーザは旅行者か又は土地の人か、使用時間及び頻度／使用量等のユーザ／使用量に関連する情報を決定／計算する処理ソフトウェアを含みうる。
【０１５４】
本発明のシステム及び方法の実施形態は更に、集約されたユーザ及びトラフィックのパターンのデータベースといったユーザのリアルタイムのヒストリカルレコードを含むユーザ情報を決定／保持することと、その情報からレポートを作成することとを含みうる。
【０１５５】
本発明のシステム及び方法の実施形態は更に、ウェブサービスを介した複数の配信モードを可能にするネットワークトポロジを含みうる。
【０１５６】
本発明のシステム及び方法の実施形態は更に、複数のレベルのデータ集約を可能にすることを含みうる。
【０１５７】
本発明のシステム及び方法の実施形態は更に、様々なネットワークコンポーネントに対して電子文書（例えば、ＸＭＬ）を送信／解析する能力を含みうる。
【０１５８】
本発明のシステム及び方法の実施形態は更に、ロギング及びビリング、バンド幅の制御、及び、サービスの質といった情報処理機能を含みうる。
【０１５９】
本発明のシステム及び方法の実施形態は更に、高度にパーソナライズされたユーザエキスペリエンス、及び、ユーザのＡＰへのアクセス毎の一意のスプラッシュページといったＧＵＩに基づき且つ情報を供給する機能を含みうる。
【０１６０】
本発明のシステム及び方法の実施形態は更に、第三者のアプリケーションベンダに対して選択された又は全ての収集データを収集且つ解析して、アプリケーションの特定の機能で収集されたデータの任意の組み合わせを利用し、ターゲッティングし且つフィルタリングできる該アプリケーションをイネーブルすること（例えば、ロケーションに基づき、時刻、天候に依存するアプリケーションは、個々のユーザの使用挙動により決定されるユーザタイプにターゲッティングされる）を含みうる。
【０１６１】
本発明のシステム及び方法の実施形態は更に、確実なレベルのセキュリティ及びインテグリティでパブリックインターネットにアクセスするためにセキュリティ及び認証を処理することを含みうる。
【０１６２】
本発明のシステム及び方法の実施形態は更に、収集した情報の累積クラスに基づいて特定ユーザのプロファイルを構築することを含みうる。
【０１６３】
本発明のシステム及び方法の実施形態は更に、ロケーションに固有の又はロケーションに基づいた広告を配信等するモバイルコマースイネーブラを含む又はモバイルコマースイネーブラとして動作しうる。
【０１６４】
本発明のシステム及び方法の実施形態は更に、ネットワークデバイスにロケーション情報を配信できる、ロケーションを決定／処理／中継するデバイスを含みうる。
【０１６５】
本発明のシステム及び方法の実施形態は更に、「現在位置」通知サービスを配信できるネットワークを含みうる。
【０１６６】
本発明のシステム及び方法の実施形態は更に、ＶｏＩＰサービスのためにＭＡＣアドレスをフィルタリングすること／ブロッキングすること／イネーブルすることを含みうる。
【０１６７】
本発明のシステム及び方法の実施形態は更に、ローカル情報といった情報のためのＶｏＩＰ「現在位置」通知サービスを含みうる。
【０１６８】
本発明の他の実施形態は、本願に開示した本発明の詳述及び実施を考慮することで当業者には明らかであろう。詳述及び実施例は、例示的に過ぎず、本発明の真の範囲及び精神は、上述の開示内容と本発明の１つ以上の実施形態の範囲を記述する請求項を組み合わせて示す。なお、請求項における、ローデータ（ＲＡＷ  ＤＡＴＡ）という用語に使用は、ローデータ、匿名データ、ビジネスに応じてクラスタリング及び収集されたデータ、及び、広告、コンテンツ、又は検索プロバイダからのビジネス／マーケティング入力に関連するフィルタシンタックスである代案の代表例であり、ネットワークで収集されたローデータではなく、上述のこれらの情報のみが上述のプロバイダに供給されることは理解するものとする。
【図１Ａ】
2009512940.tif 000003
【図１Ｂ】
2009512940.tif 000004
【図１Ｃ】
2009512940.tif 000005
【図１Ｄ】
2009512940.tif 000006
【図１Ｅ】
2009512940.tif 000007
【図１Ｆ】
2009512940.tif 000008
【図１Ｇ】
2009512940.tif 000009
【図１Ｈ】
2009512940.tif 000010
【図１Ｉ】
2009512940.tif 000011
【図１Ｊ】
2009512940.tif 000012
【図１Ｋ】
2009512940.tif 000013
【図１Ｌ】
2009512940.tif 000014
【図１Ｍ−１】
2009512940.tif 000015
【図１Ｍ−２】
2009512940.tif 000016
【図１Ｎ−１】
2009512940.tif 000017
【図１Ｎ−２】
2009512940.tif 000018
【図２】
2009512940.tif 000019
【図３】
2009512940.tif 000020
【図４】
2009512940.tif 000021
【図５】
2009512940.tif 000022
【図６】
2009512940.tif 000023
【図７】
2009512940.tif 000024
【図８】
2009512940.tif 000025
【図９】
2009512940.tif 000026
【図１０】
2009512940.tif 000027
【図１１Ａ−１】
2009512940.tif 000028
【図１１Ａ−２】
2009512940.tif 000029
【図１１Ｂ−１】
2009512940.tif 000030
【図１１Ｂ−２】
2009512940.tif 000031
【図１１Ｃ】
2009512940.tif 000032
【図１１Ｄ】
2009512940.tif 000033
【図１１Ｅ】
2009512940.tif 000034
【図１２】
2009512940.tif 000035
【図１３】
2009512940.tif 000036
【図１４】
2009512940.tif 000037
【図１５】
2009512940.tif 000038
【図１６】
2009512940.tif 000039
【図１７】
2009512940.tif 000040
【図１８】
2009512940.tif 000041
【図１９】
2009512940.tif 000042
【図２０】
2009512940.tif 000043
【図２１】
2009512940.tif 000044
【図２２】
2009512940.tif 000045
【国際調査報告】
2009512940.tif 000046
2009512940.tif 000047